(57)【要約】  収束信号の追加および除去を用いたマルチバンド再構成可能光アドドロップ多重化を実施するための様々なアーキテクチャが提供される。説明されるアーキテクチャの下で、チャネル分離は改善され、切替え要素に関する性能要件はより低く、ライン側の切替え要素の数を２分の１に削減することが可能であり得る。説明されるアーキテクチャを用いて、ファイバごとに追加のスペクトルを使用することの結果として、切替え要素ごとにより少ないポートが必要とされる。信号の追加および除去における競合の程度をやはり低減される。さらに、これらのアーキテクチャは、ファイバごとにより高い容量を有する光ネットワークをサポートし、したがって、ファイバ資産を節約する。これらのアーキテクチャは、本質的にモジュラであり、ネットワークが単一帯域設定で展開され、後で、複数の帯域をサポートするためにアップグレードされることを可能にする。この「要約」は、特許請求の範囲もしくは意味を解釈または限定するために使用されないことを理解して提出される。
2015515171.tif 000002
【特許請求の範囲】
【請求項１】
複数の波長グループの複数の入力信号を受け入れ、
第１の波長グループの複数の前記入力信号を第１の入力信号バンドルとして提供し、
第２の波長グループの複数の前記入力信号を第２の入力信号バンドルとして提供する
ように構成されたライン入力デバイスと、
前記ライン入力デバイスから前記第１の入力信号バンドルを受け入れ、
少なくともいくつかの第１の入力信号を、第１の分配された信号グループに分配し、
前記第１の分配された信号グループを提供する
ように構成された、前記ライン入力デバイスに結合された分配デバイスと、
前記第１の分配された信号グループのうちの少なくともいくつか、およびオプションで１つまたは複数の追加信号を受け入れ、
前記受け入れられた信号のうちの少なくともいくつかを組み合わせて、第１の出力信号バンドルにし、
前記第１の出力信号バンドルを提供する
ように構成された、前記分配デバイスに結合された組合せデバイスと、
前記組合せデバイスから前記第１の出力信号バンドルを受け入れ、
前記第２の波長グループの第２の出力信号バンドルを受け入れ、
前記第１の出力信号バンドルの信号、および前記第２の出力信号バンドルの信号を含む、複数の出力信号を提供する
ように構成された、前記組合せデバイスに結合されたライン出力デバイスと、
前記分配デバイスから前記第１の波長グループの１つまたは複数の第１の分配された信号グループを受け入れ、
前記分配デバイスから前記第２の波長グループの１つまたは複数の第２の分配された信号グループを受け入れ、
前記第１の波長グループおよび前記第２の波長グループを含めて、複数の波長グループから信号を受信することが可能な受信機において１つまたは複数のドロップ信号を受信し、
少なくとも１つの追加信号を前記組合せデバイスに提供する
ように構成された、前記分配デバイスおよび前記組合せデバイスに結合された信号アドドロップデバイスと
を備える装置。
【請求項２】
前記分配デバイスが、
前記第１の入力信号バンドルを受け入れるための入力ポートと、
前記第１の分配された信号グループを提供するための複数の出力ポートと
を含む第１の結合要素を備える、請求項１に記載の装置。
【請求項３】
前記第１の結合要素が波長選択切替え要素を含む、請求項２に記載の装置。
【請求項４】
前記分配デバイスが、
前記第２の入力信号バンドルを受け入れるための入力ポートと、
前記第２の波長帯の第２の分配された信号グループを提供するための複数の出力ポートと
を含む追加の第１の結合要素をさらに備える、請求項２に記載の装置。
【請求項５】
前記組合せデバイスが、
前記第１の分配された信号グループのうちの前記少なくともいくつか、およびオプションで前記１つまたは複数の追加信号を受け入れるための複数の入力ポートと、
前記第１の出力信号バンドルを提供するための出力ポートと
を含む第２の結合要素を備える、請求項１に記載の装置。
【請求項６】
前記第２の結合要素が波長選択切替え要素を含む、請求項５に記載の装置。
【請求項７】
前記組合せデバイスが、
前記第２の波長帯の前記複数の前記入力信号の少なくとも一部、およびオプションで前記第２の波長帯の１つまたは複数の追加信号を受け入れるための複数の入力ポートと、
追加の第２の結合要素によって受け入れられた前記信号のうちの少なくともいくつかを含む第２の出力信号バンドルを提供するための出力ポートと
を含む前記追加の第２の結合要素をさらに含む、請求項５に記載の装置。
【請求項８】
前記信号アドドロップデバイスが、
前記第１の波長グループの１つまたは複数の第１の分配された信号グループを受け入れ、
１つまたは複数のドロップ信号グループを提供する
ように構成された、前記分配デバイスに結合された第３の結合要素と、
前記第１の波長帯の前記少なくとも１つの追加信号を提供し、
１つまたは複数のアド信号グループを受け入れる
ように構成された、前記組合せデバイスに結合された第４の結合要素と、
１つまたは複数の受信機のセットであって、各々が前記第３の結合要素から前記１つまたは複数のドロップ信号グループのうちの１つの少なくとも一部を受け入れるように構成された、１つまたは複数の受信機のセットと、
１つまたは複数の送信機のセットであって、各々が前記第４の結合要素に前記１つまたは複数のアド信号グループの少なくとも一部を提供するように構成された、１つまたは複数の送信機のセットと
を備える、請求項１に記載の装置。
【請求項９】
前記第３の結合要素が、
前記第２の波長帯の１つまたは複数の第２の分配された信号グループを受け入れる
ようにさらに構成された、請求項８に記載の装置。
【請求項１０】
前記第４の結合要素が、
前記第２の波長帯の少なくとも１つの追加信号を提供する
ようにさらに構成された、請求項８に記載の装置。
【請求項１１】
前記第３の結合要素および前記第４の結合要素のうちの少なくとも１つが波長選択切替え要素を含む、請求項８に記載の装置。
【請求項１２】
前記信号アドドロップデバイスが、
前記第３の結合要素と１つまたは複数の受信機の前記セットとの間に結合されたスプリッタをさらに備え、前記スプリッタが、
前記第３の結合要素からドロップ信号グループを受け入れ、
前記ドロップ信号グループを１つまたは複数の受信機の前記セットに分配する
ように構成された、
請求項８に記載の装置。
【請求項１３】
前記信号アドドロップデバイスが、
前記第３の結合要素と前記スプリッタとの間に結合された帯域コンバイナであって、
前記第３の結合要素からドロップ信号グループを受け入れ、
前記第２の波長帯の追加の信号ドロップグループを受け入れ、
組み合わされた信号ドロップグループを前記スプリッタに提供する
ように構成された、帯域コンバイナ
をさらに備える、請求項１２に記載の装置。
【請求項１４】
前記信号アドドロップデバイスが、
前記第４の結合要素と１つまたは複数の送信機の前記セットとの間に結合されたコンバイナであって、
１つまたは複数の送信機の前記セットから信号を受け入れ、
アド信号グループを前記第４の結合要素に提供する
ように構成された、コンバイナ
をさらに備える、請求項８に記載の装置。
【請求項１５】
前記信号アドドロップデバイスが、
前記第４の結合要素と前記コンバイナとの間に結合された帯域スプリッタであって、
前記コンバイナからアド信号グループを受け入れ、
前記第１の波長帯のアド信号グループを前記第４の結合要素に提供し、
前記第２の波長帯の追加のアド信号グループを提供する
ように構成された、帯域スプリッタを
さらに備える、請求項１４に記載の装置。
【請求項１６】
前記信号アドドロップデバイスが、
前記第３の結合要素から前記１つまたは複数のドロップ信号グループを受け入れる
ように構成された複数の入力ポートと、
前記１つまたは複数のドロップ信号グループの少なくとも一部を１つまたは複数の受信機の前記セットに選択的に提供する
ように構成された複数の出力ポートと
を含む切替え要素
をさらに備える、請求項８に記載の装置。
【請求項１７】
前記切替え要素が、
前記第２の波長帯の１つまたは複数の追加のドロップ信号グループを受け入れ、
前記１つまたは複数の追加のドロップ信号グループの少なくとも一部を１つまたは複数の受信機の前記セットに選択的に提供する
ようにさらに構成された、請求項１６に記載の装置。
【請求項１８】
前記切替え要素が光クロスコネクトを備える、請求項１６に記載の装置。
【請求項１９】
前記信号アドドロップデバイスが、
１つまたは複数の送信機の前記セットから信号を受け入れる
ように構成された複数の入力ポートと、
１つまたは複数の送信機の前記セットから前記信号の少なくとも一部を前記第４の結合要素に選択的に提供する
ように構成された複数の出力ポートと
を含む切替え要素
をさらに備える、請求項８に記載の装置。
【請求項２０】
前記切替え要素が、
１つまたは複数の送信機の前記セットから前記第２の波長帯の１つまたは複数の信号を受け入れ、
前記第２の波長帯の１つまたは複数の追加のアド信号グループを選択的に提供する
ようにさらに構成された、請求項１９に記載の装置。
【請求項２１】
前記切替え要素が光クロスコネクトを備える、請求項１９に記載の装置。
【請求項２２】
マルチバンド再構成可能光アドドロップ多重化の方法であって、
複数の波長グループに属する複数の入力信号を受け入れることと、
前記受け入れられた複数の入力信号を信号セットに分離することであって、各々のセットが前記複数の波長グループのうちの１つに属する、分離することと、
１つまたは複数の信号グループを選択的にドロップすることであって、各信号グループが複数の前記波長グループに属する信号を含めるように構成可能である、選択的にドロップすることと
を含む方法。
【請求項２３】
前記複数の波長グループがＣ帯域の複数の周波数とＬ帯域の複数の周波数とを含む、請求項２２に記載の方法。
【請求項２４】
前記波長グループのうちの１つまたは複数の１つまたは複数の追加信号を選択的に追加することと、
前記追加された１つまたは複数の追加信号を出力信号として提供することと
をさらに含む、請求項２２に記載の方法。
【請求項２５】
前記分離することが１つまたは複数の帯域フィルタによって実行される、請求項２２に記載の方法。
【請求項２６】
前記受け入れることと、前記分離することと、前記選択的にドロップすることとが再構成可能光アドドロップマルチプレクサ（ＲＯＡＤＭ）によって実行され、前記分離することが、２つ以上の帯域フィルタの統合アレイによって実行される、請求項２５に記載の方法。
【請求項２７】
前記分離することが１つまたは複数のインターリーバフィルタによって実行される、請求項２２に記載の方法。
【請求項２８】
前記受け入れることと、前記分離することと、前記選択的にドロップすることとが再構成可能光アドドロップマルチプレクサ（ＲＯＡＤＭ）によって実行され、前記分離することが、２つ以上のインターリーバフィルタの統合アレイによって実行される、請求項２７に記載の方法。
【発明の詳細な説明】
【背景技術】
【０００１】
光ファイバ通信では、光アドドロップマルチプレクサ（ｏｐｔｉｃａｌ  ａｄｄ−ｄｒｏｐ  ｍｕｌｔｉｐｌｅｘｅｒ）（ＯＡＤＭ）は、光の異なるチャネルを多重化して、単一モードファイバ内にまたは単一モードファイバの外にルーティングするために、波長分割多重化（ＷＤＭ）システムで使用される光ノードである。通常、ＯＡＤＭは、１つまたは複数の新しい波長を既存の多波長ＷＤＭシステムに追加して、多波長ＷＤＭシステムから１つまたは複数の波長をドロップするための能力、すなわち、ドロップ信号を別のネットワーク経路に渡すことによって、多波長ＷＤＭシステムから１つまたは複数の波長を除去するための能力を有する。再構成可能光アドドロップマルチプレクサ（ＲＯＡＤＭ）は、手動の介入なしに、波長層においてＷＤＭシステムからトラフィックを遠隔で切り替えるための動作を可能にするＯＡＤＭの１つのタイプである。
【０００２】
光ネットワーク接続におけるＲＯＡＤＭの複雑さは増大し続け、波長選択スイッチ（ｗａｖｅｌｅｎｇｔｈ  ｓｅｌｅｃｔｉｖｅ  ｓｗｉｔｃｈｅｓ）（ＷＳＳ）など、切替え要素の要件にかなりの負担をかけている。しかし、１×Ｎ個のＷＳＳによってサポートされるポートおよび他の特徴部の数の増大は分離性能に影響を及ぼし、ＲＯＡＤＭのチャネル分離要件を満たすために複数のスイッチが必要になっている。例えば、ブロードキャストアーキテクチャおよび選択アーキテクチャは、ルーティングおよび選択のために移動して、ＲＯＡＤＭのライン側に必要とされるＷＳＳの数を倍増し、複雑さおよびコストを増大することが予測される。ＲＯＡＤＭの程度ごとに切替え要素の数を削減する様式を提供するアーキテクチャは、したがって、特に関心がもたれる。
【０００３】
一方で、通信トラフィックの絶え間なく続く成長は光ネットワーク容量を要求し続けている。最終的に、ファイバごとに伝送容量を増大させるための手段として、スペクトルの追加の帯域を検討する必要がある。実際に、マルチコアファイバの使用など、より極端な手法への早期の取組みが進行中である。複数のスペクトル帯域を使用することにより、ファイバ資産（ａｓｓｅｔｓ）が節約され、このことは、ファイバが乏しい場合、プレミアムファイバが展開および使用されている場合、ならびにファイバがリースされている場合、特に重要である。
【０００４】
今日の光ネットワークでは、特にＲＯＡＤＭ中心アーキテクチャの場合、単一帯域手法、例えば、Ｃ帯域、または多少、より幅広い「拡張Ｃ帯域」が好ましい。さらなる帯域の追加は可能であるが、特に、ファイバが容易に利用可能なとき、既存のファイバ上の１つまたは複数の他の帯域、例えば、Ｌ帯域に関する装置の基本的に並列なセットの展開は、通常、新しいファイバ上のＣ帯域装置の並列セットの展開よりも魅力が少ない。例えば、他の帯域に関して必要とされる装置は、多くの場合、より高価であるか、または市販されていない。同等の単一帯域解決策と比較して、マルチバンド装置のコストを削減する実行可能なアーキテクチャは非常に重要になることが予測されるが、まだ利用可能でない。
【発明の概要】
【課題を解決するための手段】
【０００５】
本明細書で説明されるのは、マルチディグリー（ｍｕｌｔｉ−ｄｅｇｒｅｅ）再構成可能光アドドリップ多重化に関するシステム、装置、方法、および技術である。収束信号（ｃｏｎｖｅｒｇｅｄ  ｓｉｇｎａｌ）の追加および除去を用いたマルチバンドＲＯＡＤＭに関する様々なアーキテクチャが提供される。複数の帯域の使用により、単一帯域内の同じサイズのＲＯＡＤＭと比べていつかの利点がもたらされる。チャネル分離が改善される。ＷＳＳなど、切替え要素に関する性能要件はより低い。ライン側切替え要素の数を２分の１に削減することができる。提案されるアーキテクチャは、信号の追加および除去における競合の程度をやはり和らげ、それによって、運用上の利点と、切替えおよびルーティングの複雑さならびにコストのさらなる削減とを提供する。
【０００６】
本「概要」は、特許請求の範囲もしくは意味を解釈または限定するために使用されないことを理解して提出される。本「概要」は、特許請求される主題の主な特徴または重要な特徴を識別することが意図されず、特許請求される主題の範囲を判断する際の助けとして使用されることも意図されない。
【０００７】
以下の詳細な説明から様々な変更形態および修正形態が当業者に明らかになるため、続く詳細な説明では、実施形態は単なる例示として説明される。異なる図面の同じ参照番号の使用は、類似または同一の項目を示す。
【図面の簡単な説明】
【０００８】
【図１】収束信号の追加および除去を用いたマルチバンド再構成可能光アドドロップ多重化を概ね実施するためのある例示的な装置を示す図である。
【図２】収束信号の追加および除去を用いたマルチバンド再構成可能光アドドロップ多重化の少なくとも１つの実施形態を実施するためのある例示的な装置を示す図である。
【図３】収束信号の追加および除去を用いたマルチバンド再構成可能光アドドロップ多重化の少なくとも１つの実施形態を実施するための別の例示的な装置を示す図である。
【図４】収束信号の追加および除去を用いたマルチバンド再構成可能光アドドロップ多重化の少なくとも１つの実施形態を実施するためのさらに別の例示的な装置を示す図である。
【図５】収束信号の追加および除去を用いたマルチバンド再構成可能光アドドロップ多重化の少なくとも１つの実施形態を実施するためのさらに別の例示的な装置を示す図である。
【図６】収束信号の追加および除去を用いたマルチバンド再構成可能光アドドロップ多重化の少なくとも１つの実施形態を実施するためのさらに例示的な装置を示す図である。
【図７】収束信号の追加および除去を用いたマルチバンド再構成可能光アドドロップ多重化の少なくとも１つの実施形態を実施するためのさらに別の例示的な装置を示す図である。
【図８】収束信号の追加および除去を用いたマルチバンド再構成可能光アドドロップ多重化の１つまたは複数の実施形態による、少なくともある例示的な装置に関する処理フローを示す図である。
【図９】収束信号の追加および除去を用いたマルチバンド再構成可能光アドドロップ多重化の１つまたは複数の実施形態による、少なくともある例示的な装置に関する別の処理フローを示す図である。
【発明を実施するための形態】
【０００９】
以下の詳細な説明では、説明の一部を形成する、添付の図面が参照される。図面では、類似の記号は、文脈上別段の表示がない限り、典型的には、類似の構成要素を識別する。さらに、別段の言及がない限り、各連続的な図面の説明は、より明瞭な文脈、および現在の例示的な実施形態のより実質的な説明を提供するために、前の図面のうちの１つまたは複数からの特徴を参照する場合がある。さらに、詳細な説明、図面、および請求項で説明される例示的な実施形態は、限定的であることが意味されない。他の実施形態を利用することが可能であり、本明細書で提示される主題の趣旨または範囲から逸脱せずに、他の変更を行うことが可能である。概して本明細書で説明され、図面に例示されるような、本開示の態様をそれらのすべてが本明細書で明示的に企図される幅広い異なる構成で配置、置換、組合せ、分離、および設計することが可能であることを容易に理解されよう。
【００１０】
本明細書で説明されるのは、収束信号の追加および除去を用いたマルチバンド再構成可能光アドドロップ多重化に関するアーキテクチャである。下で説明される各装置は、収束信号の追加および除去を用いたマルチバンド再構成可能光アドドロップ多重化を実施するためのそれぞれのアーキテクチャを実施する。これらのアーキテクチャは、カラーレス（ｃｏｌｏｒｌｅｓｓ）、ディレクションレス（ｄｉｒｅｃｔｉｏｎｌｅｓｓ）、コンテンションレス（ｃｏｎｔｅｎｔｉｏｎｌｅｓｓ）、およびグリッドレス（ｇｒｉｄｌｅｓｓ）なルーティング、またはフレキシブルグリッドルーティングを含めて、様々な次世代ＲＯＡＤＭ要件をサポートすることが可能である。カラーレスおよびディレクションレス機能性は、波長調整可能な送信機と受信機との間の通信を任意の利用可能な波長上で任意のライン方向にルーティングするための能力を指す。グリッドレス機能性は、様々な切替え可能な結合要素技術によって、かつ必要に応じて、受信機フィルタおよび調整可能送信機によってサポートされる。
【００１１】
コンテンションレスルーティングは、同じＲＯＡＤＭノードにおいて同じ波長スペクトルを占有しているチャネルの複数のインスタンスを追加、ドロップ、または除去するための能力を指す。（信号を追加するための）信号追加ポートまたは（信号をドロップするための）信号除去ポートのいずれかに関してサポートされ得るそのようなインスタンスの数は、ＲＯＡＤＭの「コンテンションレスの程度（ｃｏｎｔｅｎｔｉｏｎｌｅｓｓ  ｄｅｇｒｅｅ）」と呼ばれる。「コンテンションレス」になるＲＯＡＤＭの場合、コンテンションレスの程度はＲＯＡＤＭの程度以上になる必要がある。高度のＲＯＡＤＭノードの場合、例えば、必要とされる追加の切替えの量および複雑さ、既存の切替え要素（例えば、波長選択スイッチ）に関するポートカウント要件の増大、ならびに一部のアーキテクチャの場合、アド／ドロップトラフィックを迅速に上げるための準備において利用可能な多数のトランスポンダを提供する必要を含む要因により、完全にコンテンションレスな信号アド／ドロップのサポートは非常に高価になる。
【００１２】
例示的なアーキテクチャおよび装置
図１は、収束信号の追加および除去を用いたマルチバンド再構成可能光アドドロップ多重化を概ね実施するためのある例示的な装置１００を示す。
【００１３】
示されるように、装置１００は、１つまたは複数のライン入力デバイス１８０と、分配デバイス１１０と、組合せデバイス１２０と、１つまたは複数のライン出力デバイス１９０と、信号アドドロップデバイス１３０とを含む。装置１００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。
【００１４】
周波数帯域または波長帯は、例えば、Ｃ帯域およびＬ帯域などの従来の範囲など、１つまたは複数の光信号チャネルをサポートすることができるスペクトルの連続範囲である。例えば、Ｃ帯域ＲＯＡＤＭは、各々がＣ帯域の一部からなる複数の帯域を利用することすら可能である。しかし、スペクトル帯域のサイズの削減の結果として、必要とされるライン側切替え要素の数が増大する可能性がある。さらに、本明細書で説明される利点のうちの多くは、例えば、Ｃ帯域だけに関するＲＯＡＤＭではなく、Ｃ帯域およびＬ帯域に関するＲＯＡＤＭの場合など、利用されるスペクトルの量の増大を想定する。本明細書で説明される実施形態では、信号グループを分離および組み合わせるライン入力デバイスと出力デバイスとが説明される。説明を簡単にするために、これらのデバイスは、帯域を分離および組み合わせるとして説明される。いくつかの実施形態では、追加の帯域スプリットデバイスおよび／または帯域組合せデバイスが同様に説明される。しかし、これらのデバイスは、各々がスペクトルの複数の非連続帯域を含む、信号グループを交互に分離および結合することが可能であることを理解されたい。そのような実装形態の簡単な例は、奇数チャネルと偶数チャネルのグループが分離および組み合わされるようなインターリーバフィルタの使用である。
【００１５】
１つまたは複数のライン入力デバイス１８０は、１つまたは複数のライン入力１８２から複数の入力信号を受け入れることができる。各ライン入力デバイス１８０は、第１の波長帯の第１の入力信号バンドル１８４と、第２の波長帯の第２の入力信号バンドル１８６とを含めて、複数の入力信号を複数の入力信号バンドルとして出力することができる。１つまたは複数のライン入力デバイス１８０ならびに装置１００は、２つ以上の波長帯の信号を受け入れて、出力することができるが、本明細書で提供される例は、例示を分かりやすくするために、かつ簡素化するために、２つの波長帯、すなわち、第１の波長帯と第２の波長帯の信号を使用する。本開示の実施形態はこれに限定されないことを理解されたい。
【００１６】
分配デバイス１１０は、１つまたは複数のライン入力デバイス１８０から、１つまたは複数の第１の入力信号バンドル１８４および１つまたは複数の第２の入力信号バンドル１８６、ならびに追加の波長帯に対応する任意の追加の入力信号バンドルを受け入れることができる。分配デバイス１１０は、受け入れられた信号のうちの少なくともいくつかを複数の分配された信号グループにさらに分配することができる。
【００１７】
分配デバイス１１０は、１つまたは複数の第１の結合要素１１２ａ〜ｋを含むことが可能である。第１の結合要素１１２ａ〜ｋの各々は、それぞれの入力信号バンドルを受け入れるための少なくとも１つの入力ポートを含むことが可能である。第１の結合要素１１２ａ〜ｋの各々は、以下で信号グループと呼ばれる場合もある、信号のグループを提供するための複数の出力ポートを含むことも可能である。第１の結合要素１１２ａ〜ｋの各々は、複数の入力信号を受け入れて、受け入れられた信号のうちの少なくともいくつかを複数の信号グループに分配することができる。概して、実装形態の詳細、および装置１００がどのように構成されるかに応じて、信号グループは、ゼロ、１つ、または複数の信号を含むことが可能である。場合によっては、入力信号を複数の出力信号グループに分配することが可能である。例えば、第１の結合要素１１２ａは、第１の波長帯の第１の入力信号バンドル１８４を受け入れて、受け入れられた入力信号のうちの少なくともいくつかを第１の波長帯のそれぞれの複数の信号グループとして提供することができる。同様に、第１の結合要素１１２ｂは、第２の波長帯の第２の入力信号バンドル１８６を受け入れて、受け入れられた入力信号の少なくともいくつかを第２の波長帯のそれぞれの複数の信号グループとして提供することができる。少なくとも１つの実装形態では、第１の結合要素１１２ａ〜ｋのうちの１つまたは複数は、波長選択切替え要素（ｗａｖｅｌｅｎｇｔｈ  ｓｅｌｅｃｔｉｖｅ  ｓｗｉｔｃｈｉｎｇ  ｅｌｅｍｅｎｔ）を含むことが可能である。
【００１８】
組合せデバイス１２０は、分配デバイス１１０から信号の分配されたグループのうちの少なくともいくつか、およびオプションで１つまたは複数の追加信号グループを受け入れることができる。組合せデバイス１２０は、受け入れられた信号のうちの少なくともいくつかを組み合わせて、１つまたは複数の第１の出力信号バンドル１９４、および１つまたは複数の第２の出力信号バンドル１９６、ならびに追加の波長帯に対応する任意の追加の出力信号バンドルを出力することができる。
【００１９】
組合せデバイス１２０は、１つまたは複数の第２の結合要素１２２ａ〜ｌを含むことが可能である。第２の結合要素１２２ａ〜ｌの各々は、それぞれの第１の結合要素１１２ａ〜ｋによって提供された信号グループのうちの少なくともいくつか、およびオプションで１つまたは複数の追加信号グループ１２４を含めて、それぞれの信号グループを受け入れるために結合可能な複数の入力ポートを含むことが可能である。第２の結合要素１２２ａ〜ｌの各々は、受け入れられた信号のうちの少なくともいくつかを出力信号バンドルとして出力するための少なくとも１つの出力ポートを含むことも可能である。例えば、第２の結合要素１２２ａは、オプションで１つまたは複数の追加の分配された信号グループを含めて、かつオプションで１つまたは複数の追加の信号グループを含めて、第１の結合要素１１２ａによって提供された分配された信号グループを含む、第１の波長帯の信号グループを受け入れて、受け入れられた信号のうちの少なくともいくつかを組み合わせて第１の出力信号バンドル１９４にすることができる。同様に、第２の結合要素１２２ｂは、オプションで１つまたは複数の追加の分配された信号グループを含めて、かつオプションで１つまたは複数の追加信号グループを含めて、第１の結合要素１１２ｂによって提供された分配された信号グループを含む、第２の波長帯の信号グループを受け入れて、受け入れられた信号のうちの少なくともいくつかを組み合わせて、第２の出力信号バンドル１９６にすることができる。少なくとも一実施形態では、第２の結合要素１２２ａ〜ｌのうちの１つまたは複数は波長選択切替え要素を含むことが可能である。
【００２０】
第１の結合要素１１２ａ〜ｋの各々によって提供されるいくつかの信号グループは、第２の結合要素１２２ａ〜ｌのうちの１つまたは複数に出力され得、それらによって受け入れられ得る。同様に、第２の結合要素１２２ａ〜ｌの各々によって受け入れられたいくつかの信号グループは、第１の結合要素１１２ａ〜ｋのうちの１つまたは複数から受け入れられること、およびそれらによって提供され得る。
【００２１】
１つまたは複数のライン出力デバイス１９０は、組合せデバイス１２０から第１の波長帯の１つまたは複数の第１の出力信号バンドル１９４を受け入れることができる。１つまたは複数のライン出力デバイス１９０は、第２の波長帯の１つまたは複数の第２の出力信号バンドル１９６をさらに受け入れることができる。１つまたは複数のライン出力デバイス１９０は、複数の出力信号を１つまたは複数のライン出力１９２に提供することができる。ライン出力デバイス１９０、ならびに装置１００は、２つ以上の波長帯の信号を受け入れて、出力することができるが、本明細書で提供される例は、簡素化するために、２つの波長帯、すなわち、第１の波長帯および第２の波長帯の信号を使用する。本開示の実施形態はこれに限定されないことを理解されたい。
【００２２】
信号アドドロップデバイス１３０は、分配デバイス１１０から１つまたは複数の信号グループを受け入れることができる。例えば、信号アドドロップデバイス１３０は、第１の結合要素１１２ａから第１の波長帯の１つまたは複数の分配された信号グループ１１４、ならびに１つまたは複数の他の第１の結合要素１１２ｂ〜ｋから第１の波長帯の１つまたは複数の分配された信号グループ１４２を受け入れることができる。信号アドドロップデバイス１３０は、分配デバイス１１０から、１つまたは複数の他の波長帯、例えば、第２の波長帯の１つまたは複数の分配された信号グループ１４４をさらに受け入れることができる。受け入れられた信号のうちの少なくともいくつかをドロップして、別のネットワーク経路に送ることが可能である。例えば、受け入れられた信号のうちの１つまたは複数は、信号アドドロップデバイス１３０によって、あるいは信号アドドロップデバイス１３０に結合された１つまたは複数の他のデバイスによって受信可能である。加えて、信号アドドロップデバイス１３０は、少なくとも１つの追加信号グループを組合せデバイス１２０に提供することができる。例えば、信号アドドロップデバイス１３０は、第１の波長帯の１つまたは複数の追加信号グループ１２４を第２の結合要素１２２ａに提供すること、ならびに第１の波長帯の１つまたは複数の追加信号グループ１５２を１つまたは複数の他の第２の結合要素１２２ｂ〜ｌに提供することができる。信号アドドロップデバイス１３０は、１つまたは複数の他の波長帯、例えば、第２の波長帯の１つまたは複数の他の追加信号１５４を組合せデバイス１２０にさらに提供することができる。例えば、提供された信号のうちの１つまたは複数は、信号アドドロップデバイス１３０によって、あるいは信号アドドロップデバイス１３０に結合された１つまたは複数の他のデバイスによって送信可能である。
【００２３】
装置１００は、収束信号の追加および除去を用いたマルチバンドＲＯＡＤＭであってもよい。各帯域に関するライン側ルーティングは並行して行われる。帯域化（ｂａｎｄｅｄ）アーキテクチャは、分離を改善して、第１の結合要素１１２ａ〜ｋおよび第２の結合要素１２２ａ〜ｌに関する性能要件を削減することができ、潜在的に、第１の結合要素１１２ａ〜ｋと第２の結合要素１２２ａ〜ｌの両方の代わりに、第１の結合要素１１２ａ〜ｋまたは第２の結合要素１２２ａ〜ｌのいずれかに関する切替えの使用を可能にする。これは、有利には、必要とされるライン側切替えの数を半分に減らす。装置１００によって表されるアーキテクチャによって提供される直接的なコスト便益に加えて、装置１００を介してルーティングされた光信号は半分の数の切替え要素を通過し、それにより、そのようなチャネルが狭まるなどの影響により、信号劣化を削減する。より少ないカスケード接続された切替え要素光信号が届く範囲が拡張されて、高価な再生の必要性は削減され、所与の光路に沿ってより多くのＲＯＡＤＭノードをサポートすることが可能である。
【００２４】
帯域は信号アドドロップデバイス１３０内で再度組み合わされ、したがって、完全なカラーレスおよびディレクションレス機能性のサポートが保持される。例えば、単一帯域の事例と比較して、ファイバごとに追加のスペクトルを利用してこのアーキテクチャが適用されるとき、このアーキテクチャは、競合の点でかなりの利点を提供する。共通の波長でルーティングされたより少ないチャネルが存在し、チャネルはより大きなスペクトルを介して拡散するため、競合の可能性が削減される。完全にコンテンションレスなＲＯＡＤＭを達成するために、複雑さがより少なく、費用がよりかからない切替えを伴う、より少ない程度のコンテンションレスが必要とされることになる。例えば、ライン側結合要素上および／または信号追加／除去側結合要素上のポートを減少させることが可能であり、必要とされる信号追加／除去結合要素の数を削減することが可能である。
【００２５】
図２は、収束信号の追加および除去を用いたマルチバンド再構成可能光アドドロップ多重化の少なくとも１つの実施形態を実施するためのある例示的な装置２００を示す。
【００２６】
示されるように、装置２００は、１つまたは複数のライン入力デバイス１８０と、分配デバイス１１０と、組合せデバイス１２０と、１つまたは複数のライン出力デバイス１９０と、信号アドドロップデバイス２３０とを含む。装置２００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。装置２００の１つまたは複数のライン入力デバイス１８０、分配デバイス１１０、組合せデバイス１２０、および１つまたは複数のライン出力デバイス１９０は、装置１００の１つまたは複数のライン入力デバイス１８０、分配デバイス１１０、組合せデバイス１２０、および１つまたは複数のライン出力デバイス１９０と同一であってもよい。したがって、簡素化するために、装置２００の１つまたは複数のライン入力デバイス１８０、分配デバイス１１０、組合せデバイス１２０、および１つまたは複数のライン出力デバイス１９０の構造ならびに動作の詳細な説明は提供されない。
【００２７】
分配デバイス１１０と組合せデバイス１２０とに結合された信号アドドロップデバイス２３０は、分配デバイス１１０から１つまたは複数の信号グループを受け入れて、１つまたは複数の信号グループを組合せデバイス１２０に提供することができる。信号アドドロップデバイス２３０は、複数の第３の結合要素２４０ａ〜ｍと、複数の第４の結合要素２５０ａ〜ｎと、帯域コンバイナ（ｂａｎｄ  ｃｏｍｂｉｎｅｒ）２６２と、帯域スプリッタ２６４と、１つまたは複数の受信機２８０ａ〜ｐのセットと、１つまたは複数の送信機２９０ａ〜ｑのセットとを含むことが可能である。
【００２８】
第３の結合要素２４０ａ〜ｍの各々は、分配デバイス１１０の第１の結合要素１１２ａ〜ｋのうちの１つまたは複数によって提供されたそれぞれの複数の信号グループを受け入れるための複数の入力ポートを含むことが可能である。第３の結合要素２４０ａ〜ｍの各々は、信号グループを提供するための少なくとも１つの出力ポートを含むことも可能である。例えば、第３の結合要素２４０ａは、第１の結合要素１１２ａから第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２をさらに受け入れることができる。さらに、第３の結合要素２４０ａは、何らかの数の受け入れられた信号を組み合わせて、第１の波長帯の１つまたは複数のドロップ信号グループ２４４を提供することができる。さらに、第３の結合要素２４０ｂは、１つまたは複数の他の第１の結合要素１１２ｂ〜ｋから第２の波長帯の１つまたは複数の分配された信号グループ１４４を受け入れることができる。第３の結合要素２４０ｂは、何らかの数の受け入れられた信号を組み合わせて、第２の波長帯の１つまたは複数のドロップ信号グループ２６６を提供することができる。
【００２９】
第４の結合要素２５０ａ〜ｎの各々は、少なくとも１つの信号グループを受け入れるための少なくとも１つの入力ポートを含むことが可能である。第４の結合要素２５０ａ〜ｎの各々は、追加信号グループを組合せデバイス１２０の第２の結合要素１２２ａ〜ｌのうちの１つまたは複数に提供するための複数の出力ポートを含むことも可能である。例えば、第４の結合要素２５０ａは、第１の波長帯の１つまたは複数の追加信号グループ２５４を受け入れることが可能である。第４の結合要素２５０ａは、受け入れられた信号のうちの少なくともいくつかを追加信号グループに分配することができ、第１の波長帯の少なくとも１つの追加信号グループ１２４を第２の結合要素１２２ａに提供することができ、第１の波長帯の１つまたは複数の追加信号グループ１５２を１つまたは複数の他の第２の結合要素１２２ｂ〜ｌに提供することもできる。さらに、第４の結合要素２５０ｂは、第２の波長帯の１つまたは複数の追加信号グループ２６８を受け入れることができる。第４の結合要素２５０ｂは、受け入れられた信号のうちの少なくともいくつかを追加信号グループに分配することができ、第２の波長帯の１つまたは複数の追加信号グループ１５２を１つまたは複数の他の第２の結合要素１２２ｂ〜ｌに提供することができる。
【００３０】
帯域コンバイナ２６２は、第１の波長帯と第２の波長帯とを含めて、２つ以上の波長帯の信号グループを受け入れて、提供することができる。例えば、帯域コンバイナ２６２は、第１の波長帯のドロップ信号グループ２４４を受け入れるために、第３の結合要素２４０に結合可能であり、第２の波長帯を含めて、１つまたは複数の他の波長帯の１つまたは複数のドロップ信号グループ２６６を受け入れるために、１つまたは複数の追加の第３の結合要素２４０ｂ〜ｍに結合可能である。受け入れられたドロップ信号グループを組み合わせて、１つまたは複数の受信機２８０ａ〜ｐに提供され得る、単一の信号グループにすることが可能である。
【００３１】
帯域スプリッタ２６４は、第１の波長帯と第２の波長帯とを含めて、２つ以上の波長帯の信号グループを受け入れて、提供することができる。例えば、帯域スプリッタ２６４は、１つまたは複数の送信機２９０ａ〜ｑから信号グループを受け入れることができる。受け入れられた信号を異なる波長帯に対応する２つ以上のアド信号グループに分配することが可能である。帯域スプリッタ２６４は、第１の波長帯の追加信号グループ２５４を提供するために、第４の結合要素２５０ａに結合可能であり、第２の波長帯を含めて、１つまたは複数の他の波長帯の１つまたは複数のアド信号グループ２６８を提供するために、１つまたは複数の追加の第４の結合要素２５０ｂ〜ｎに結合可能である。
【００３２】
１つまたは複数の受信機２８０ａ〜ｐのセットの各々は、帯域コンバイナ２６２からドロップ信号グループ内で提供されたそれぞれの信号を受信することができる。複数の受信機２８０ａ〜ｐのうちの１つまたは複数は、単一波長上または複数の波長上で信号を選択的に受信することが可能であり得る。
【００３３】
オプションで、信号アドドロップデバイス２３０は、帯域コンバイナ２６２と受信機２８０ａ〜ｐのセットとの間に結合されたスプリッタ、すなわち、デマルチプレクサをさらに含むことが可能である。すなわち、受信機２８０ａ〜ｐの各々は、帯域コンバイナ２６２と、スプリッタ、すなわち、デマルチプレクサとを介して、第３の結合要素２４０ａ〜ｍのうちの２つ以上に間接的に接合可能である。例えば、図２に示されるように、スプリッタ２７２を受信機２８０ａ〜ｐのセットと帯域コンバイナ２６２との間に結合することが可能である。
【００３４】
１つまたは複数の送信機２９０ａ〜ｑのセットの各々は、アド信号グループ内で提供されたそれぞれの信号を帯域スプリッタ２６４に送信することができる。複数の送信機２９０ａ〜ｑのうちの１つまたは複数は、単一波長上または複数の波長上で信号を選択的に送信することが可能であり得る。
【００３５】
オプションで、信号アドドロップデバイス２３０は、帯域スプリッタ２６４と送信機２９０ａ〜ｑのセットとの間に結合されたコンバイナ、すなわち、マルチプレクサをさらに含むことが可能である。すなわち、送信機２９０ａ〜ｑの各々を、帯域スプリッタ２６４と、コンバイナ、すなわち、マルチプレクサとを介して、第４の結合要素２５０ａ〜ｎのうちの２つ以上に間接的に結合することが可能である。例えば、図２に示されるように、コンバイナ２７４を送信機２９０ａ〜ｑのセットと帯域スプリッタ２６４との間に結合することが可能である。
【００３６】
いくつかの実装形態では、各々が１つまたは複数の受信機のそれぞれのセットに結合され、各々が帯域コンバイナと受信機のセットとの間に結合されたそれぞれのオプションのスプリッタ、すなわち、デマルチプレクサをオプションで含む、複数の帯域コンバイナ２６２が存在する場合がある。いくつかの実装形態では、各々が１つまたは複数の送信機のそれぞれのセットに結合され、各々が帯域スプリッタと送信機のセットとの間に結合されたそれぞれのオプションのコンバイナ、すなわち、マルチプレクサを含む、複数の帯域スプリッタ２６４が存在する場合がある。例えば、ドロップ信号グループ２４４を１つまたは複数の追加の帯域コンバイナに提供することが可能である。
【００３７】
図３は、収束信号の追加および除去を用いたマルチバンド再構成可能光アドドロップ多重化の少なくとも１つの実施形態を実施するためのある例示的な装置３００を示す。
【００３８】
示されるように、装置３００は、１つまたは複数のライン入力デバイス１８０と、分配デバイス１１０と、組合せデバイス１２０と、１つまたは複数のライン出力デバイス１９０と、信号アドドロップデバイス３３０とを含む。装置３００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。装置３００のライン入力デバイス１８０、分配デバイス１１０、組合せデバイス１２０、およびライン出力デバイス１９０は、装置１００の１つまたは複数のライン入力デバイス１８０、分配デバイス１１０、組合せデバイス１２０、および１つまたは複数のライン出力デバイス１９０と同一であってもよい。したがって、簡素化するために、装置３００の１つまたは複数のライン入力デバイス１８０、分配デバイス１１０、組合せデバイス１２０、および１つまたは複数のライン出力デバイス１９０の構造ならびに動作の詳細な説明は提供されない。
【００３９】
分配デバイス１１０と組合せデバイス１２０とに結合された信号アドドロップデバイス３３０は、分配デバイス１１０から１つまたは複数の信号グループを受け入れることができ、１つまたは複数の信号グループを組合せデバイス１２０に提供することができる。信号アドドロップデバイス３３０は、複数の第３の結合要素３４０ａ〜ｍと、複数の第４の結合要素３５０ａ〜ｎと、１つまたは複数の受信機３８０ａ〜ｐのセットと、１つまたは複数の送信機３９０ａ〜ｑのセットとを含むことが可能である。
【００４０】
第３の結合要素３４０ａ〜ｍの各々は、分配デバイス１１０の第１の結合要素１１２ａ〜ｋのうちの１つまたは複数によって提供されたそれぞれの複数の信号グループを受け入れるための複数の入力ポートを含むことが可能である。第３の結合要素３４０ａ〜ｍの各々は、信号グループを提供するための少なくとも１つの出力ポートを含むことも可能である。例えば、第３の結合要素３４０ａは、第１の結合要素１１２ａから第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２を受け入れることができ、１つまたは複数の他の第１の結合要素１１２ｂ〜ｋから、第２の波長帯を含めて、１つまたは複数の他の波長帯の１つまたは複数の分配された信号グループ１４４を受け入れることができる。さらに、第３の結合要素３４０ａは、何らかの数の受け入れられた信号を組み合わせて、１つまたは複数のドロップ信号グループ３４６を提供することができる。
【００４１】
第４の結合要素３５０ａ〜ｎの各々は、少なくとも１つの信号グループを受け入れるための、少なくとも１つの入力ポートを含むことが可能である。第４の結合要素３５０ａ〜ｎの各々は、追加信号グループを組合せデバイス１２０の第２の結合要素１２２ａ〜ｌのうちの１つまたは複数に提供するための複数の出力ポートを含むことも可能である。例えば、第４の結合要素３５０ａは、１つまたは複数の波長帯の１つまたは複数の追加信号グループ３５６を受け入れることができる。第４の結合要素３５０ａは、受け入れられた信号のうちの少なくともいくつかを追加信号グループに分配することができ、第１の波長帯の１つまたは複数の追加信号グループ１２４を第２の結合要素１２２ａに提供することができ、第１の波長帯の１つまたは複数の追加の信号グループ１５２を１つまたは複数の他の第２の結合要素１２２ｂ〜ｌに提供することができ、第２の波長帯を含めて、１つまたは複数の他の波長帯の１つまたは複数の追加信号グループ１５４を１つまたは複数の他の第２の結合要素１２２ｂ〜ｌに提供することができる。
【００４２】
１つまたは複数の受信機３８０ａ〜ｐのセットの各々は、第３の結合要素３４０ａ〜ｍのうちの１つから、ドロップ信号グループ内で提供されたそれぞれの信号を受信することができる。複数の受信機３８０ａ〜ｐのうちの１つまたは複数は、単一波長上または複数の波長上で信号を選択的に受信することが可能であり得る。
【００４３】
オプションで、信号アドドロップデバイス３３０は、第３の結合要素３４０ａ〜ｍと受信機３８０ａ〜ｐのセットとの間に結合されたスプリッタ、すなわち、デマルチプレクサをさらに含むことが可能である。すなわち、受信機３８０ａ〜ｐの各々をスプリッタ、すなわち、デマルチプレクサを介して第３の結合要素３４０ａ〜ｍに間接的に結合することが可能である。例えば、図３に示されるように、スプリッタ３７２を受信機３８０ａ〜ｐのセットと第３の結合要素３４０ａとの間に結合することが可能である。
【００４４】
１つまたは複数の送信機３９０ａ〜ｑのセットの各々は、アド信号グループ内で提供されたそれぞれの信号を第４の結合要素３５０ａ〜ｎのうちの１つに送信することができる。複数の送信機３９０ａ〜ｑのうちの１つまたは複数は、単一波長上または複数の波長上で信号を選択的に送信することが可能であり得る。
【００４５】
オプションで、信号アドドロップデバイス３３０は、第４の結合要素３５０ａ〜ｎと送信機３９０ａ〜ｑのセットとの間に結合されたコンバイナ、すなわち、マルチプレクサをさらに含むことが可能である。すなわち、送信機３９０ａ〜ｑの各々をコンバイナ、すなわち、マルチプレクサを介して第４の結合要素３５０ａ〜ｎに間接的に結合することが可能である。例えば、図３に示されるように、コンバイナ３７４を送信機３９０ａ〜ｑのセットと第４の結合要素３５０ａとの間に結合することが可能である。
【００４６】
いくつかの実装形態では、各々が第３の結合要素と受信機のそれぞれのセットとの間に結合されたそれぞれのオプションのスプリッタ、すなわち、デマルチプレクサをオプションで含む、１つまたは複数の受信機が存在する場合がある。いくつかの実装形態では、各々が第４の結合要素と送信機のそれぞれのセットとの間に結合されたそれぞれのオプションのコンバイナ、すなわち、マルチプレクサをオプションで含む、１つまたは複数の送信機の複数のセットが存在する場合がある。
【００４７】
図４は、収束信号の追加および除去を用いたマルチバンド再構成可能光アドドロップ多重化の少なくとも１つの実施形態を実施するためのある例示的な装置４００を示す。
【００４８】
示されるように、装置４００は、１つまたは複数のライン入力デバイス１８０と、分配デバイス１１０と、組合せデバイス１２０と、１つまたは複数のライン出力デバイス１９０と、信号アドドロップデバイス４３０とを含む。装置４００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。装置４００のライン入力デバイス１８０、分配デバイス１１０、組合せデバイス１２０、およびライン出力デバイス１９０は、装置１００のライン入力デバイス１８０、分配デバイス１１０、組合せデバイス１２０、およびライン出力デバイス１９０はと同一であってもよい。したがって、簡素化するために、装置４００の１つまたは複数のライン入力デバイス１８０、分配デバイス１１０、組合せデバイス１２０、および１つまたは複数のライン出力デバイス１９０の構造ならびに動作の詳細な説明は提供されない。
【００４９】
分配デバイス１１０と組合せデバイス１２０とに結合された信号アドドロップデバイス４３０は、分配デバイス１１０から１つまたは複数の信号グループを受け入れることができ、１つまたは複数の信号グループを組合せデバイス１２０に提供することができる。信号アドドロップデバイス４３０は、複数の第３の結合要素４４０ａ〜ｍと、複数の第４の結合要素４５０ａ〜ｎと、帯域コンバイナ４６２と、１つまたは複数の受信機４８０ａ〜ｐのセットと、１つまたは複数の送信機４９０ａ〜ｑのセットとを含むことが可能である。
【００５０】
第３の結合要素４４０ａ〜ｍの各々は、分配デバイス１１０の第１の結合要素１１２ａ〜ｋのうちの１つまたは複数によって提供されたそれぞれの複数の信号グループを受け入れるための複数の入力ポートを含むことが可能である。第３の結合要素４４０ａ〜ｍの各々は、信号グループを提供するための少なくとも１つの出力ポートを含むことも可能である。例えば、第３の結合要素４４０ａは、第１の結合要素１１２ａから第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２をさらに受け入れることができる。さらに、第３の結合要素４４０ａは、何らかの数の受け入れられた信号を組み合わせて、第１の波長帯の１つまたは複数のドロップ信号グループ４４４を提供することができる。さらに、第３の結合要素４４０ｂは、１つまたは複数の他の第１の結合要素１１２ｂ〜ｋから第２の波長帯の１つまたは複数の分配された信号グループ１４４を受け入れることができる。第３の結合要素４４０ｂは、何らかの数の受け入れられた信号を組み合わせて、第２の波長帯の１つまたは複数のドロップ信号グループ４６６を提供することができる。
【００５１】
第４の結合要素４５０ａ〜ｎの各々は、少なくとも１つの信号グループを受け入れるための少なくとも１つの入力ポートを含むことが可能である。第４の結合要素４５０ａ〜ｎの各々は、追加信号グループを組合せデバイス１２０の第２の結合要素１２２ａ〜ｌのうちの１つまたは複数に提供するための複数の出力ポートを含むことも可能である。例えば、第４の結合要素４５０ａは、１つまたは複数の波長帯の１つまたは複数の追加信号グループ４５６を受け入れることができる。第４の結合要素４５０ａは、受け入れられた信号のうちの少なくともいくつかを追加信号グループに分配することができ、第１の波長帯の１つまたは複数の追加信号グループ１２４を第２の結合要素１２２ａに提供することができ、第１の波長帯の１つまたは複数の追加信号グループ１５２を１つまたは複数の他の第２の結合要素１２２ｂ〜ｌを提供することができ、第２の波長帯を含めて、１つまたは複数の他の波長帯の１つまたは複数の追加信号グループ１５４を１つまたは複数の他の第２の結合要素１２２ｂ〜ｌに提供することができる。
【００５２】
帯域コンバイナ４６２は、第１の波長帯と第２の波長帯とを含めて、２つ以上の波長帯の信号グループを受け入れて、提供することができる。例えば、帯域コンバイナ４６２は、第１の波長帯のドロップ信号グループ４４４を受け入れるために、第３の結合要素４４０ａに結合可能であり、第２の波長帯を含めて、１つまたは複数の他の波長帯の１つまたは複数のドロップ信号グループ４６６を受け入れるために、１つまたは複数の追加の第３の結合要素４４０ｂ〜ｍに結合可能である。受け入れられたドロップ信号グループを組み合わせて、１つまたは複数の受信機４８０ａ〜ｐに提供され得る、単一の信号グループにすることが可能である。
【００５３】
１つまたは複数の受信機４８０ａ〜ｐのセットの各々は、帯域コンバイナ４６２からドロップ信号グループ内で提供されたそれぞれの信号を受信することができる。複数の受信機４８０ａ〜ｐのうちの１つまたは複数は、単一波長上または複数の波長上で信号を選択的に受信することが可能であり得る。
【００５４】
オプションで、信号アドドロップデバイス４３０は、帯域コンバイナ４６２と受信機４８０ａ〜ｐのセットとの間に結合されたスプリッタ、すなわち、デマルチプレクサをさらに含むことが可能である。すなわち、受信機４８０ａ〜ｐの各々を帯域コンバイナ４６２とスプリッタ、すなわち、デマルチプレクサを介して第３の結合要素４４０ａ〜ｍのうちの２つ以上に間接的に結合することが可能である。例えば、図４に示されるように、スプリッタ４７２を受信機４８０ａ〜ｐのセットと帯域コンバイナ４６２との間に結合することが可能である。
【００５５】
１つまたは複数の送信機４９０ａ〜ｑのセットの各々は、アド信号グループ内で提供されたそれぞれの信号を第４の結合要素４５０ａ〜ｎのうちの１つに送信することが可能である。複数の送信機４９０ａ〜ｑのうちの１つまたは複数は、単一波長上または複数の波長上で信号を選択的に送信することが可能であり得る。
【００５６】
オプションで、信号アドドロップデバイス４３０は、第４の結合要素４５０ａ〜ｎと送信機４９０ａ〜ｑのセットとの間に結合されたコンバイナ、すなわち、マルチプレクサをさらに含むことが可能である。すなわち、送信機４９０ａ〜ｑの各々を、コンバイナ、すなわち、マルチプレクサを介して第４の結合要素４５０ａ〜ｎに間接的に結合することが可能である。例えば、図４に示されるように、コンバイナ４７４を送信機４９０ａ〜ｑのセットと第４の結合要素４５０ａとの間に結合することが可能である。
【００５７】
いくつかの実装形態では、各々が１つまたは複数の受信機のそれぞれのセットに結合され、各々が帯域コンバイナと受信機のセットとの間に結合されたそれぞれのオプションのスプリッタ、すなわち、デマルチプレクサをオプションで含む、複数の帯域コンバイナ４６２が存在する場合がある。いくつかの実装形態では、各々が第４の結合要素と送信機のそれぞれのセットとの間に結合されたそれぞれのオプションのコンバイナ、すなわち、マルチプレクサをオプションで含む、１つまたは複数の送信機の複数のセットが存在する場合がある。
【００５８】
図５は、収束信号の追加および除去を用いたマルチバンド再構成可能光アドドロップ多重化の少なくとも１つの実施形態を実施するためのある例示的な装置５００を示す。
【００５９】
示されるように、装置５００は、１つまたは複数のライン入力デバイス１８０と、分配デバイス１１０と、組合せデバイス１２０と、１つまたは複数のライン出力デバイス１９０と、信号アドドロップデバイス５３０とを含む。装置５００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。装置５００のライン入力デバイス１８０、分配デバイス１１０、組合せデバイス１２０、およびライン出力デバイス１９０は、装置１００のライン入力デバイス１８０、分配デバイス１１０、組合せデバイス１２０、およびライン出力デバイス１９０と同一であってもよい。したがって、簡素化するために、装置５００のライン入力デバイス１８０、分配デバイス１１０、組合せデバイス１２０、および１つまたは複数のライン出力デバイス１９０の構造ならびに動作の詳細な説明は提供されない。
【００６０】
分配デバイス１１０と組合せデバイス１２０とに結合された信号アドドロップデバイス５３０は、分配デバイス１１０から１つまたは複数の信号グループを受け入れることができ、１つまたは複数の信号グループを組合せデバイス１２０に提供することができる。信号アドドロップデバイス５３０は、複数の第３の結合要素５４０ａ〜ｍと、複数の第４の結合要素５５０ａ〜ｎと、帯域スプリッタ５６４と、１つまたは複数の受信機５８０ａ〜ｐのセットと、１つまたは複数の送信機５９０ａ〜ｑのセットとを含むことが可能である。
【００６１】
第３の結合要素５４０ａ〜ｍの各々は、分配デバイス１１０の第１の結合要素１１２ａ〜ｋのうちの１つまたは複数によって提供されたそれぞれの複数の信号グループを受け入れるための複数の入力ポートを含むことが可能である。第３の結合要素５４０ａ〜ｍの各々は、信号グループを提供するための少なくとも１つの出力ポートを含むことも可能である。例えば、第３の結合要素５４０ａは、第１の結合要素１１２ａから第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２を受け入れることができ、１つまたは複数の他の第１の結合要素１１２ｂ〜ｋから、第２の波長帯を含めて、１つまたは複数の他の波長帯の１つまたは複数の分配された信号グループ１４４を受け入れることができる。さらに、第３の結合要素５４０ａは、何らかの数の受け入れられた信号を組み合わせて、１つまたは複数のドロップ信号グループ５４６を提供することができる。
【００６２】
第４の結合要素５５０ａ〜ｎの各々は、少なくとも１つの信号グループを受け入れるための少なくとも１つの入力ポートを含むことが可能である。第４の結合要素５５０ａ〜ｎの各々は、追加信号グループを組合せデバイス１２０の第２の結合要素１２２ａ〜ｌのうちの１つまたは複数に提供するための複数の出力ポートを含むことも可能である。例えば、第４の結合要素５５０ａは、第１の波長帯の１つまたは複数の追加信号グループ５５４を受け入れることができる。第４の結合要素５５０ａは、受け入れられた信号のうちの少なくともいくつかを追加信号グループに分配することができ、第１の波長帯の少なくとも１つの追加信号グループ１２４を第２の結合要素１２２ａに提供することができ、第１の波長帯の１つまたは複数の追加信号グループ１５２を１つまたは複数の他の第２の結合要素１２２ｂ〜ｌに提供することもできる。さらに、第４の結合要素５５０ｂは、第２の波長帯の１つまたは複数の追加信号グループ５６８を受け入れることができる。第４の結合要素５５０ｂは、受け入れられた信号のうちの少なくともいくつかを追加信号グループに分配することができ、第２の波長帯の１つまたは複数の追加信号グループ１５２を１つまたは複数の他の第２の結合要素１２２ｂ〜ｌに提供することができる。
【００６３】
帯域スプリッタ５６４は、第１の波長帯と第２の波長帯とを含めて、２つ以上の波長帯の信号グループを受け入れて、提供することができる。例えば、帯域スプリッタ５６４は、１つまたは複数の送信機５９０ａ〜ｑから信号グループを受け入れることができる。受け入れられた信号は、異なる波長帯に対応する２つ以上のアド信号グループに分配可能である。帯域スプリッタ５６４は、第１の波長帯の追加信号グループ５５４を提供するために、第４の結合要素５５０ａに結合可能であり、第２の波長帯を含めて、１つまたは複数の他の波長帯の１つまたは複数のアド信号グループ５６８を提供するために、１つまたは複数の追加の第４の結合要素５５０ｂ〜ｎに結合可能である。
【００６４】
１つまたは複数の受信機５８０ａ〜ｐのセットの各々は、第３の結合要素５４０ａ〜ｍのうちの１つから、ドロップ信号グループ内で提供されたそれぞれの信号を受信することができる。複数の受信機５８０ａ〜ｐのうちの１つまたは複数は、単一波長内または複数の波長内で信号を選択的に受信することが可能であり得る。
【００６５】
オプションで、信号アドドロップデバイス５３０は、第３の結合要素５４０ａ〜ｍと受信機５８０ａ〜ｐのセットとの間に結合されたスプリッタ、すなわち、デマルチプレクサをさらに含むことが可能である。すなわち、受信機５８０ａ〜ｐの各々をスプリッタ、すなわち、デマルチプレクサを介して第３の結合要素５４０ａ〜ｍに間接的に結合することが可能である。例えば、図５に示されるように、スプリッタ５７２を受信機５８０ａ〜ｐのセットと第３の結合要素５４０ａとの間に結合することが可能である。
【００６６】
１つまたは複数の送信機５９０ａ〜ｑのセットの各々は、アド信号グループ内で提供されたそれぞれの信号を帯域スプリッタ５６４に送信することができる。複数の送信機５９０ａ〜ｑの１つまたは複数は、単一波長上または複数の波長上で信号を選択的に送信することが可能であり得る。
【００６７】
オプションで、信号アドドロップデバイス５３０は、帯域スプリッタ５６４と送信機５９０ａ〜ｑのセットとの間に結合されたコンバイナ、すなわち、マルチプレクサをさらに含むことが可能である。すなわち、送信機５９０ａ〜ｑの各々を、帯域スプリッタ５６４と、コンバイナ、すなわち、マルチプレクサとを介して第４の結合要素５５０ａ〜ｎのうちの２つ以上に間接的に結合することが可能である。例えば、図５に示されるように、コンバイナ５７４を送信機５９０ａ〜ｑのセットと帯域スプリッタ５６４との間に結合することが可能である。
【００６８】
いくつかの実装形態では、各々が第３の結合要素と受信機のそれぞれのセットとの間に結合されたそれぞれのオプションのスプリッタ、すなわち、デマルチプレクサをオプションで含む、１つまたは複数の受信機の複数のセットが存在する場合がある。いくつかの実装形態では、各々が１つまたは複数の送信機のそれぞれのセットに結合され、各々が帯域スプリッタと送信機のセットとの間に結合されたそれぞれのオプションのコンバイナ、すなわち、マルチプレクサをオプションで含む、複数の帯域スプリッタ５６４が存在する場合がある。
【００６９】
図６は、収束信号の追加および除去を用いたマルチバンド再構成可能光アドドロップ多重化の少なくとも１つの実施形態を実施するためのある例示的な装置６００を示す。
【００７０】
示されるように、装置６００は、１つまたは複数のライン入力デバイス１８０と、分配デバイス１１０と、組合せデバイス１２０と、１つまたは複数のライン出力デバイス１９０と、信号アドドロップデバイス６３０とを含む。装置６００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。装置６００のライン入力デバイス１８０、分配デバイス１１０、組合せデバイス１２０、およびライン出力デバイス１９０は、装置１００のライン入力デバイス１８０、分配デバイス１１０、組合せデバイス１２０、およびライン出力デバイス１９０と同一であってもよい。したがって、簡素化するために、装置６００の１つまたは複数のライン入力デバイス１８０、分配デバイス１１０、組合せデバイス１２０、および１つまたは複数のライン出力デバイス１９０の構造ならびに動作の詳細な説明は提供されない。
【００７１】
分配デバイス１１０と組合せデバイス１２０とに結合された信号アドドロップデバイス６３０は、分配デバイス１１０から１つまたは複数の信号グループを受け入れることができ、１つまたは複数の信号グループを組合せデバイス１２０に提供することができる。信号アドドロップデバイス６３０は、複数の第３の結合要素６４０ａ〜ｍと、複数の第４の結合要素６５０ａ〜ｎと、帯域コンバイナ６６２と、帯域スプリッタ６６４と、１つまたは複数の受信機６８０ａ〜ｐのセットと、１つまたは複数の送信機６９０ａ〜ｑのセットとを含むことが可能である。
【００７２】
第３の結合要素６４０ａ〜ｍの各々は、分配デバイス１１０の第１の結合要素１１２ａ〜ｋのうちの１つまたは複数によって提供されたそれぞれの複数の信号グループを受け入れるための複数の入力ポートを含むことが可能である。第３の結合要素６４０ａ〜ｍの各々は、信号グループを提供するための少なくとも１つの出力ポートを含むことも可能である。例えば、第３の結合要素６４０ａは、第１の結合要素１１２ａから第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２を受け入れることができ、１つまたは複数の他の第１の結合要素１１２ｂ〜ｋから、第２の波長帯を含めて、１つまたは複数の他の波長帯の１つまたは複数の分配された信号グループ１４４を受け入れることができる。さらに、第３の結合要素６４０ａは、何らかの数の受け入れられた信号を組み合わせて、１つまたは複数のドロップ信号グループ６４６を提供することができる。さらに、第３の結合要素６４０ｂは、第１の結合要素１１２ａから第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２を受け入れることができ、１つまたは複数の他の第１の結合要素１１２ｂ〜ｋから、第２の波長帯を含めて、１つまたは複数の他の波長帯の１つまたは複数の分配された信号グループ１４４を受け入れることができる。第３の結合要素２４０ｂは、何らかの数の受け入れられた信号を組み合わせて、１つまたは複数のドロップ信号グループ６６６を提供することが可能である。
【００７３】
第４の結合要素６５０ａ〜ｎの各々は、少なくとも１つの信号グループを受け入れるための少なくとも１つの入力ポートを含むことが可能である。第４の結合要素６５０ａ〜ｎの各々は、追加信号グループを組合せデバイス１２０の第２の結合要素１２２ａ〜ｌのうちの１つまたは複数に提供するための複数の出力ポートを含むことも可能である。例えば、第４の結合要素６５０ａは、１つまたは複数の波長帯の１つまたは複数の追加信号グループ６５６を受け入れることができる。第４の結合要素６５０ａは、受け入れられた信号のうちの少なくともいくつかを追加信号グループに分配することができ、第１の波長帯の１つまたは複数の追加信号グループ１２４を第２の結合要素１２２ａに提供することができ、第１の波長帯の１つまたは複数の追加信号グループ１５２を１つまたは複数の他の第２の結合要素１２２ｂ〜ｌに提供することができ、第２の波長帯を含めて、１つまたは複数の他の波長帯の１つまたは複数の追加信号グループ１５４を１つまたは複数の他の第２の結合要素１２２ｂ〜ｌに提供することができる。さらに、第４の結合要素６５０ｂは、第２の波長帯の１つまたは複数の追加信号グループ６６８を受け入れることができる。第４の結合要素２５０ｂは、受け入れられた信号のうちの少なくともいくつかを追加信号グループに分配することができ、第１の波長帯の１つまたは複数の追加信号グループ１２４を第２の結合要素１２２ａに提供することができ、第１の波長帯の１つまたは複数の追加信号グループ１５２を１つまたは複数の他の第２の結合要素１２２ｂ〜ｌに提供することができ、第２の波長帯を含めて、１つまたは複数の他の波長帯の１つまたは複数の追加信号グループ１５４を１つまたは複数の他の第２の結合要素１２２ｂ〜ｌに提供することができる。
【００７４】
帯域コンバイナ６６２は、第１の波長帯と第２の波長帯とを含むことが可能な、２つ以上の波長帯の信号グループを受け入れて、提供することができる。例えば、帯域コンバイナ６６２は、ドロップ信号グループ６４６を受け入れるために第３の結合要素２４０ａに結合可能であり、それぞれの信号グループ６４６の１つまたは複数の波長帯とは異なる１つまたは複数の波長帯の１つまたは複数のドロップ信号グループ６６６を受け入れるために、１つまたは複数の追加の第３の結合要素２４０ｂ〜ｍに結合可能である。受け入れられたドロップ信号グループを組み合わせて、１つまたは複数の受信機６８０ａ〜ｐに提供され得る、単一の信号グループにすることが可能である。
【００７５】
帯域スプリッタ６６４は、第１の波長帯と第２の波長帯とを含むことが可能な、２つ以上の波長帯の信号グループを受け入れて、提供することができる。例えば、帯域スプリッタ６６４は、１つまたは複数の送信機６９０ａ〜ｑから信号グループを受け入れることができる。受け入れられた信号は、２つ以上のアド信号グループに分配可能である。帯域スプリッタ６６４を第４の結合要素６５０ａに結合して、追加信号グループ６５６を提供することができ、１つまたは複数の追加の第４の結合要素２５０ｂ〜ｎに結合して、それぞれの信号グループ６５６の１つまたは複数の波長帯とは異なる１つまたは複数の他の波長帯の１つまたは複数のアド信号グループ６６８を提供することができる。
【００７６】
１つまたは複数の受信機６８０ａ〜ｐのセットの各々は、ドロップ信号グループ内で提供されたそれぞれの信号を帯域コンバイナ６６２から受信することができる。複数の受信機６８０ａ〜ｐの１つまたは複数は、単一波長上または複数の波長上で信号を選択的に受信することが可能であり得る。
【００７７】
オプションで、信号アドドロップデバイス６３０は、帯域コンバイナ６６２と受信機６８０ａ〜ｐのセットとの間に結合されたスプリッタ、すなわち、デマルチプレクサをさらに含むことが可能である。すなわち、受信機６８０ａ〜ｐの各々を、帯域コンバイナ６６２と、スプリッタ、すなわち、デマルチプレクサとを介して第３の結合要素６４０ａ〜ｍのうちの２つ以上に間接的に結合することが可能である。例えば、図６に示されるように、スプリッタ６７２を受信機６８０ａ〜ｐのセットと帯域コンバイナ６６２との間に結合することが可能である。
【００７８】
１つまたは複数の送信機６９０ａ〜ｑのセットの各々は、アド信号グループ内で提供されたそれぞれの信号を帯域スプリッタ６６４に送信することができる。複数の送信機６９０ａ〜ｑのうちの１つまたは複数は、単一波長上または複数の波長上で信号を選択的に送信することが可能であり得る。
【００７９】
オプションで、信号アドドロップデバイス６３０は、帯域スプリッタ６６４と送信機６９０ａ〜ｑのセットとの間に結合されたコンバイナ、すなわち、マルチプレクサをさらに含むことが可能である。すなわち、送信機６９０ａ〜ｑの各々を、帯域スプリッタ６６４と、コンバイナ、すなわち、マルチプレクサとを介して第４の結合要素６５０ａ〜ｎのうちの２つ以上に間接的に結合することが可能である。例えば、図６に示されるように、コンバイナ６７４を送信機６９０ａ〜ｑのセットと帯域スプリッタ６６４との間に結合することが可能である。
【００８０】
いくつかの実装形態では、各々が１つまたは複数の受信機のそれぞれのセットに結合され、各々が帯域コンバイナと受信機のセットとの間に結合されたそれぞれのオプションのスプリッタ、すなわち、デマルチプレクサをオプションで含む、複数の帯域コンバイナ６６２が存在する場合がある。いくつかの実装形態では、各々が１つまたは複数の送信機のそれぞれのセットに結合され、各々が帯域スプリッタと送信機のセットとの間で結合されたそれぞれのオプションのコンバイナ、すなわち、マルチプレクサをオプションで含む、複数の帯域スプリッタ６６４が存在する場合がある。
【００８１】
図７は、収束信号の追加および除去を用いたマルチバンド再構成可能光アドドロップ多重化の少なくとも１つの実施形態を実施するためのある例示的な装置７００を示す。
【００８２】
示されるように、装置７００は、１つまたは複数のライン入力デバイス１８０と、分配デバイス１１０と、組合せデバイス１２０と、１つまたは複数のライン出力デバイス１９０と、信号アドドロップデバイス７３０とを含む。装置７００は、１つまたは複数のライン入力１８２から複数の入力信号を受け入れて、受け入れられた入力信号のうちの１つまたは複数をドロップして、１つまたは複数の信号を追加して、１つまたは複数のライン出力１９２において複数の出力信号を出力することができる。装置７００のライン入力デバイス１８０、分配デバイス１１０、組合せデバイス１２０、およびライン出力デバイス１９０は、装置１００のライン入力デバイス１８０、分配デバイス１１０、組合せデバイス１２０、およびライン出力デバイス１９０と同一であってもよい。したがって、簡素化するために、装置７００の１つまたは複数のライン入力デバイス１８０、分配デバイス１１０、組合せデバイス１２０、および１つまたは複数のライン出力デバイス１９０の構造および動作の詳細な説明は提供されない。
【００８３】
分配デバイス１１０と組合せデバイス１２０とに結合された信号アドドロップデバイス７３０は、分配デバイス１１０から１つまたは複数の信号グループを受け入れることができ、１つまたは複数の信号グループを組合せデバイス１２０に提供することができる。信号アドドロップデバイス７３０は、複数の第３の結合要素７４０ａ〜ｍと、複数の第４の結合要素７５０ａ〜ｎと、切替え機構７７０と、１つまたは複数の受信機７８０ａ〜ｐのセットと、１つまたは複数の送信機７９０ａ〜ｑのセットとを含むことが可能である。
【００８４】
第３の結合要素７４０ａ〜ｍの各々は、分配デバイス１１０の第１の結合要素１１２ａ〜ｋのうちの１つまたは複数によって提供されたそれぞれの複数の信号グループを受け入れるための複数の入力ポートを含むことが可能である。第３の結合要素７４０ａ〜ｍの各々は、信号グループを提供するための少なくとも１つの出力ポートを含むことも可能である。例えば、第３の結合要素７４０ａは、第１の結合要素１１２ａから、第１の波長帯の１つまたは複数の分配された信号グループ１１４を受け入れることができ、１つまたは複数の他の第１の結合要素１１２ｂ〜ｋから第１の波長帯の１つまたは複数の分配された信号グループ１４２をさらに受け入れることができる。さらに、第３の結合要素７４０ａは、何らかの数の受け入れられた信号を組み合わせて、第１の波長帯の１つまたは複数のドロップ信号グループ７４４を提供することができる。さらに、第３の結合要素７４０ｂは、１つまたは複数の他の第１の結合要素１１２ｂ〜ｋから第２の波長帯の１つまたは複数の分配された信号グループ１４４を受け入れることができる。第３の結合要素７４０ｂは、何らかの数の受け入れられた信号を組み合わせて、第２の波長帯の１つまたは複数のドロップ信号グループ７７２を提供することができる。
【００８５】
第４の結合要素７５０ａ〜ｎの各々は、少なくとも１つの信号グループを受け入れるための少なくとも１つの入力ポートを含むことが可能である。第４の結合要素７５０ａ〜ｎの各々は、追加信号グループを組合せデバイス１２０の第２の結合要素１２２ａ〜ｌのうちの１つまたは複数に提供するための複数の出力ポートを含むことも可能である。例えば、第４の結合要素７５０ａは、第１の波長帯の１つまたは複数の追加信号グループ７５４を受け入れることができる。第４の結合要素７５０ａは、受け入れられた信号のうちの少なくともいくつかを追加信号グループに分配することができ、第１の波長帯の少なくとも１つの追加信号グループ１２４を第２の結合要素１２２ａに提供することができ、第１の波長帯の１つまたは複数の追加信号グループ１５２を１つまたは複数の他の第２の結合要素１２２ｂ〜ｌに提供することもできる。さらに、第４の結合要素７５０ｂは、第２の波長帯の１つまたは複数の追加信号グループ７７４を受け入れることができる。第４の結合要素７５０ｂは、受け入れられた信号のうちの少なくともいくつかを追加信号グループに分配することができ、第２の波長帯の１つまたは複数の追加信号グループ１５２を１つまたは複数の他の第２の結合要素１２２ｂ〜ｌに提供することができる。
【００８６】
切替え機構７７０は、第１の波長帯と第２の波長帯とを含めて、２つ以上の波長帯の信号グループを受け入れて、提供することができる。例えば、切替え機構７７０は、第１の波長帯の１つまたは複数のドロップ信号グループ７４４と、第２の波長帯を含めて、１つまたは複数の他の波長帯の１つまたは複数のドロップ信号グループ７７２とを受け入れるために、１つまたは複数の第３の結合要素７４０ａ〜ｍに結合可能である。何らかの数の受け入れられたドロップ信号グループは、切替え機構７７０によって１つまたは複数の受信機７８０ａ〜ｐに提供可能である。さらに、切替え機構７７０は、１つまたは複数の送信機７９０ａ〜ｑから何らかの数の追加信号グループを受け入れる。切替え機構７７０は、第１の波長帯の１つまたは複数の受け入れられた追加信号グループ７５４と、第２の波長帯を含めて、１つまたは複数の他の波長帯の１つまたは複数の追加信号グループ７７４とを提供するために、１つまたは複数の第４の結合要素７５０ａ〜ｎに結合可能である。切替え機構７７０は光クロスコネクトを含むことが可能である。
【００８７】
１つまたは複数の受信機７８０ａ〜ｐのセットの各々は、ドロップ信号グループ内で提供されたそれぞれの信号を切替え機構７７０から受信することができる。複数の受信機７８０ａ〜ｐのうちの１つまたは複数は、単一波長上または複数の波長上で信号を選択的に受信することが可能であり得る。
【００８８】
１つまたは複数の送信機７８０ａ〜ｑのセットの各々は、アド信号グループ内で提供されたそれぞれの信号を切替え機構７７０に送信することができる。複数の送信機７９０ａ〜ｑのうちの１つまたは複数は、単一波長上または複数の波長上で信号を選択的に送信することが可能であり得る。
【００８９】
いくつかの実装形態では、切替え機構７７０は、アドグループに関する別個の切替えと、ドロップグループに関する別個の切替えとを含むことが可能である。いくつかの実装形態では、その各々が１つまたは複数の受信機のそれぞれのセットに結合可能であり、１つまたは複数の送信機のそれぞれのセットに結合可能である、複数の切替え機構７７０が存在する場合がある。いくつかの実装形態では、オプションのスプリッタ、すなわち、デマルチプレクサを切替え機構７７０と１つまたは複数の受信機のセットとの間に結合することが可能である。いくつかの実装形態では、オプションのコンバイナ、すなわち、マルチプレクサを切替え機構７７０と１つまたは複数の送信機のセットとの間に結合することが可能である。
【００９０】
第１の結合要素１１２ａ〜ｋの各々、ならびに第４の結合要素２５０ａ〜ｎ、３５０ａ〜ｎ、４５０ａ〜ｎ、５５０ａ〜ｎ、６５０ａ〜ｎ、および７５０ａ〜ｎの各々は、少なくとも１つの入力ポートと複数の出力ポートとを有する。第２の結合要素１２２ａ〜ｌの各々、ならびに第３の結合要素２４０ａ〜ｍ、３４０ａ〜ｍ、４４０ａ〜ｍ、５４０ａ〜ｍ、６４０ａ〜ｍ、および７４０ａ〜ｍの各々は、複数の入力ポートと少なくとも１つの出力ポートとを有する。
【００９１】
単一の入力ポートだけが存在するとき、１つまたは複数の第１の結合要素１１２ａ〜ｋ、あるいは１つまたは複数の第４の結合要素２５０ａ〜ｎ、３５０ａ〜ｎ、４５０ａ〜ｎ、５５０ａ〜ｎ、６５０ａ〜ｎ、および７５０ａ〜ｎは受動的、例えば、スプリッタであってもよい。代替として、１つまたは複数の第１の結合要素１１２ａ〜ｋ、あるいは１つまたは複数の第４の結合要素２５０ａ〜ｎ、３５０ａ〜ｎ、４５０ａ〜ｎ、５５０ａ〜ｎ、６５０ａ〜ｎ、および７５０ａ〜ｎは、切替え可能、例えば、波長選択スイッチであってもよい。同様に、単一の出力ポートだけが存在するとき、１つまたは複数の第２の結合要素１２２ａ〜ｌ、あるいは１つまたは複数の第３の結合要素２４０ａ〜ｍ、３４０ａ〜ｎ、４４０ａ〜ｍ、５４０ａ〜ｍ、６４０ａ〜ｍ、および７４０ａ〜ｍは受動的、例えば、スプリッタであってもよい。代替として、１つまたは複数の第２の結合要素１２２ａ〜ｌ、あるいは１つまたは複数の第３の結合要素２４０ａ〜ｍ、３４０ａ〜ｍ、４４０ａ〜ｍ、５４０ａ〜ｍ、６４０ａ〜ｍ、および７４０ａ〜ｍは切替え可能、例えば、波長選択スイッチであってもよい。同じタイプのもので、ある様々な第１の結合要素１１２ａ〜ｋ、第２の結合要素１２２ａ〜ｌ、第３の結合要素２４０ａ〜ｍ、３４０ａ〜ｍ、４４０ａ〜ｍ、５４０ａ〜ｍ、６４０ａ〜ｍ、および７４０ａ〜ｍ、ならびに第４の結合要素２５０ａ〜ｎ、３５０ａ〜ｎ、４５０ａ〜ｎ、５５０ａ〜ｎ、６５０ａ〜ｎ、７５０ａ〜ｎは、例えば、ポート特性または切替え特性の点で、同一でなくてもよい。
【００９２】
様々な実施形態では、受動的要素および切替え要素を同じタイプの結合要素内で混合することが可能である。しかし、以下の要件を満たされなければならない。すなわち（１）すべての第１の結合要素１１２ａ〜ｋが切替え可能であること、またはすべての第２の結合要素１２２ａ〜ｌが切替え可能であることのいずれか、（２）すべての第１の結合要素１１２ａ〜ｋが切替え可能である場合、第３の結合要素２４０ａ〜ｍ、３４０ａ〜ｍ、４４０ａ〜ｍ、５４０ａ〜ｍ、６４０ａ〜ｍ、および７４０ａ〜ｍは受動的、すなわち、切替え可能であってもよく、そうでない場合、第３の結合要素２４０ａ〜ｍ、３４０ａ〜ｍ、４４０ａ〜ｍ、５４０ａ〜ｍ、６４０ａ〜ｍ、および７４０ａ〜ｍは切替え可能であること、ならびに（３）すべての第２の結合要素１２２ａ〜ｌが切替え可能である場合、第４の結合要素２５０ａ〜ｎ、３５０ａ〜ｎ、４５０ａ〜ｎ、５５０ａ〜ｎ、６５０ａ〜ｎ、および７５０ａ〜ｎは受動的、すなわち、切替え可能であってもよく、そうでない場合、第４の結合要素２５０ａ〜ｎ、３５０ａ〜ｎ、４５０ａ〜ｎ、５５０ａ〜ｎ、６５０ａ〜ｎ、および７５０ａ〜ｎは切替え可能であること。
【００９３】
複数の帯域を使用することにより、信号帯域において同じサイズのＲＯＡＤＭノードと比べていくつかの利点がもたらされる。説明されたアーキテクチャの下で、チャネル分離は改善され、切替え要素に関する性能要件はより低く、ライン側切替え要素の数を２分の１に削減することが可能であり得る。これらの要因は、コスト、サイズ、および性能の点でかなりの改善になることが予想される。
【００９４】
本開示のアーキテクチャが実施されるＲＯＡＤＭノードを介してルーティングされるとき、信号が半分の数の切替え要素を通過する結果として、追加の利点が予想される。これは、チャネルが狭まることなどの影響による信号劣化を削減し、それにより、より少ない再生が必要とされるため、光信号が届く範囲を改善して、システムコストを削減する。説明されたアーキテクチャは、所与の光路に関して多数のＲＯＡＤＭノードがシステム内でサポートされることをやはり可能にする。
【００９５】
説明されたアーキテクチャを用いて、ファイバごとに追加のスペクトルを使用することは、信号の追加および除去における競合の程度をやはり低減する。これは運用上の利点を提供し、潜在的に、切替え／ルーティングの複雑さおよびコストをさらに削減する。例えば、切替えの複雑さ、および／またはコンテンションレスなＲＯＡＤＭに関して必要とされる切替えの数が大いに削減される。
【００９６】
提案されるＲＯＡＤＭアーキテクチャは、ファイバごとにより高い容量を有する光ネットワークをサポートし、したがって、ファイバ資産を節約する。これらのアーキテクチャは、本質的にモジュラであり、ネットワークが単一帯域設定でまず展開され、後で、複数の帯域をサポートするためにアップグレードされることを可能にする。例えば、追加のスペクトル帯域をサポートするために、既存のＣ−バンドＲＯＡＤＭネットワークをアップグレードすることができる。
【００９７】
例示的な方法
図８は、収束信号の追加および除去を用いたマルチバンド再構成可能光アドドロップ多重化を実施する、少なくともある例示的な装置に関する処理フロー８００を示す。
【００９８】
例示的な処理フロー８００は、ブロック８０２、８０４、８０６、および８０８のうちの１つまたは複数によって例示されるような、１つまたは複数の動作、活動、もしくは機能を含むことが可能である。個別のブロックとして例示されるが、所望の実装形態に応じて、様々なブロックを追加のブロックに分割すること、組み合わせてより少ないブロックにすること、または除去することが可能である。さらに、第１の例示的な実施形態によれば、処理フロー８００は、収束信号の追加および除去を用いたマルチバンド再構成可能光アドドロップ多重化が達成される装置１００、装置２００、装置３００、装置４００、装置５００、装置６００、および装置７００の関連で説明される。処理フロー８００は、ブロック８０２から開始することができる。
【００９９】
ブロック８０２（複数の波長グループの信号を受け入れる）は、複数の波長グループに属する複数の波長の複数の入力信号を受け入れることを含むことが可能である。波長グループは、連続波長、すなわち、波長スペクトルのブロック、例えば、波長帯からなる場合がある。代替として、波長グループは、非連続波長、すなわち、波長スペクトルのブロック、例えば、奇数または偶数のインターリーブ波長チャネル（ｉｎｔｅｒｌｅａｖｅｄ  ｗａｖｅｌｅｎｇｔｈ  ｃｈａｎｎｅｌ）のセットからなる場合がある。さらに、波長グループは、波長、すなわち、波長スペクトルの連続ブロックおよび非連続ブロックの組合せを含む、波長スペクトルのブロックからなる場合がある。例えば、上で説明されたように、１つまたは複数のライン入力デバイス１８０は、１つまたは複数のライン入力１８２から、第１の波長帯と第２の波長帯とを含む、複数の波長帯に属する複数の入力信号を受け入れることができる。複数の波長帯は、Ｃ帯域内の複数の波長とＬ帯域内の複数の波長とを含むことが可能である。
【０１００】
ブロック８０４（波長グループを分離する）は、複数の受け入れられた入力信号を異なる波長グループに属する信号セットに分離することを含むことが可能である。例えば、上で説明されたように、各ライン入力デバイス１８０は、複数の入力信号を、第１の波長帯の第１の入力信号バンドル１８４と、第２の波長帯の第２の入力信号バンドル１８６とを含めて、複数の入力信号バンドルとして出力することができる。分離することは、例えば、１つまたは複数のインターリーバフィルタによって実行可能である。
【０１０１】
ブロック８０６（収束信号を選択的にドロップする）は、受け入れられた複数の入力信号のうち、複数の波長グループのうちの１つまたは複数の１つまたは複数の入力信号を選択的にドロップすることを含むことが可能である。信号ドロップは、ドロップ信号グループが複数の波長グループのうちのいずれかからの信号を含むことができるように構成可能である。少なくともいくつかの実装形態では、ドロップ信号グループは、複数の波長グループからの信号を含むことが可能である。例えば、上で説明されたように、信号アドドロップデバイス１３０、２３０、３３０、４３０、５３０、６３０、または７３０は、第１の波長帯と第２の波長帯とを含めて、１つまたは複数の波長帯の１つまたは複数の信号をドロップすることができる。一実施形態では、受け入れること、分離すること、および選択的にドロップすることはＲＯＡＤＭによって実行され、分離することは、２つ以上のインターリーバフィルタの統合アレイによって実行される。
【０１０２】
ブロック８０８（信号を選択的に追加する）は、複数の波長グループのうちの１つまたは複数の１つまたは複数の追加信号を選択的に追加することを含むことが可能である。例えば、上で説明されたように、信号アドドロップデバイス１３０、２３０、３３０、４３０、５３０、６３０、または７３０は、第１の波長帯と第２の波長帯とを含めて、１つまたは複数の波長帯の１つまたは複数の追加信号を提供することができる。
【０１０３】
ブロック８１０（信号を出力する）は、入力信号のうちのいくつかまたはすべて、または１つまたは複数の追加信号、あるいは入力信号のうちのいくつかまたはすべてと１つまたは複数の追加信号の両方を含むことが可能な出力信号を含むことが可能である。例えば、上で説明されたように、１つまたは複数のライン出力デバイス１９０は、第１の波長帯の１つまたは複数の第１の出力信号バンドル１９４を受け入れることができ、第２の波長帯の１つまたは複数の第２の出力信号バンドル１９６をさらに受け入れることができる。１つまたは複数のライン出力デバイス１９０は、複数の出力信号を１つまたは複数のライン出力１９２に提供することができる。
【０１０４】
図９は、収束信号の追加および除去を用いたマルチバンド再構成可能光アドドロップ多重化を実施する、少なくともある例示的な装置の処理フロー９００を示す。
【０１０５】
例示的な処理フロー９００は、ブロック９０２、９０４、９０６、９０８、９１０、９１２、および９１４の１つまたは複数によって例示されるような、１つまたは複数の動作、活動、もしくは機能を含むことが可能である。個別のブロックとして例示されるが、所望される実装形態に応じて、様々なブロックを追加のブロックに分割すること、組み合わせてより少ないブロックにすること、または除去することが可能である。さらに、第１の例示的な実施形態によれば、処理フロー９００は、収束信号の追加および除去を用いたマルチバンド再構成可能光アドドロップ多重化が達成される装置１００、装置２００、装置３００、装置４００、装置５００、装置６００、および装置７００の関連で説明される。処理フロー９００はブロック９０２から開始することができる。
【０１０６】
ブロック９０２（複数の波長グループの信号を受け入れる）は、複数の波長グループに属する複数の波長の複数の入力信号を受け入れることを含むことが可能である。波長グループは、連続波長、すなわち、波長スペクトルのブロック、例えば、波長帯からなる場合がある。波長グループは、非連続波長、すなわち、波長スペクトルのブロック、例えば、奇数もしくは偶数のインターリーブ波長チャネルのセットからなる場合がある。波長グループは、波長、すなわち、波長スペクトルの連続ブロックおよび非連続ブロックの組合せを含む、波長スペクトルのブロックからなる場合がある。例えば、上で説明されたように、１つまたは複数のライン入力デバイス１８０は、１つまたは複数のライン入力１８２から複数の入力信号を受け入れること、および第１の波長帯と第２の波長帯とを含む、複数の波長帯に属する入力信号を受け入れることができる。複数の波長帯は、Ｃ帯域内の複数の波長とＬ帯域内の複数の波長とを含むことが可能である。
【０１０７】
ブロック９０４（波長グループを分離する）は、複数の受け入れられた入力信号を異なる波長グループに属する信号セットに分離することを含むことが可能である。例えば、上で説明されたように、各ライン入力デバイス１８０は、複数の入力信号を、第１の波長帯の第１の入力信号バンドル１８４と第２の波長帯の第２の入力信号バンドル１８６とを含めて、複数の入力信号バンドルとして出力することができる。分離することは、例えば、１つまたは複数のインターリーバフィルタによって実行可能である。
【０１０８】
ブロック９０６（信号を分配する）は、それらの波長グループに従って分離された複数の入力信号を分配することを含むことが可能である。例えば、上で説明されたように、分配デバイス１１０は、１つまたは複数のライン入力デバイス１８０から、１つまたは複数の第１の入力信号バンドル１８４および１つまたは複数の第２の入力信号バンドル１８６、ならびに追加の波長帯に対応する任意の追加の入力信号バンドルを受け入れることができる。分配デバイス１１０は、受け入れられた信号のうちの少なくともいくつかを信号の複数の分配されたグループにさらに分配することができる。
【０１０９】
ブロック９０８（収束信号を選択的にドロップする）は、受け入れられた複数の入力信号のうち、複数の波長グループのうちの１つまたは複数の１つまたは複数の入力信号を選択的にドロップすることを含むことが可能である。信号ドロップは、ドロップ信号グループが複数の波長グループのうちのいずれかからの信号を含むことができるように構成可能である。少なくともいくつかの実装形態では、ドロップ信号グループは、複数の波長グループからの信号を含むことが可能である。例えば、上で説明されたように、信号アドドロップデバイス１３０、２３０、３３０、４３０、５３０、６３０、または７３０は、第１の波長帯と第２の波長帯とを含めて、１つまたは複数の波長帯の１つまたは複数の信号をドロップすることができる。一実装形態では、受け入れること、分離すること、および選択的にドロップすることはＲＯＡＤＭによって実行され、分離することは２つ以上のインターリーバフィルタの統合アレイによって実行される。
【０１１０】
ブロック９１０（信号を選択的に追加する）は、複数の波長グループのうちの１つまたは複数の１つまたは複数の追加信号を選択的に追加することを含むことが可能である。例えば、上で説明されたように、信号アドドロップデバイス１３０、２３０、３３０、４３０、５３０、６３０、７３０は、第１の波長帯と第２の波長帯とを含めて、１つまたは複数の波長帯の１つまたは複数の追加信号を提供することができる。
【０１１１】
ブロック９１２（信号を組み合わせる）は、それらの波長グループに従って分離された１つまたは複数の信号を組み合わせることを含むことが可能である。例えば、上で説明されたように、組合せデバイス１２０は、分配デバイス１１０から信号の分配されたグループのうちの少なくともいくつか、およびオプションで１つまたは複数の追加信号グループを受け入れることができる。組合せデバイス１２０は、受け入れられた信号のうちの少なくともいくつかを組み合わせて、１つまたは複数の第１の出力信号バンドル１９４および１つまたは複数の第２の出力信号バンドル１９６、ならびに追加の波長帯に対応する任意の追加の出力信号バンドルを出力することができる。さらに、１つまたは複数のライン出力デバイス１９０は、１つまたは複数のライン出力１９２に出力するために、異なる波長帯の信号を組み合わせることができる。
【０１１２】
ブロック９１４（信号を出力する）は、入力信号を含むことが可能であり、追加信号を含むことが可能な信号を出力することを含むことが可能である。例えば、上で説明されたように、１つまたは複数のライン出力デバイス１９０は、第１の波長帯の１つまたは複数の第１の出力信号バンドル１９４を受け入れることができ、第２の波長帯の１つまたは複数の第２の出力信号バンドル１９６をさらに受け入れることができる。１つまたは複数のライン出力デバイス１９０は、複数の出力信号を１つまたは複数のライン出力１９２に提供することができる。
【０１１３】
追加および代替の実装形態注釈
例示的な実装形態の上の説明では、説明のために、特定の数字、材料構成、およびその他の詳細は、特許請求される本発明をより良好に説明するために記載されている。しかし、特許請求される発明は、本明細書で説明される例示的な詳細とは異なる詳細を使用して実現可能であることは当業者に明らかであろう。他の事例では、例示的な実装形態の説明を分かりやすくするために、よく知られている特徴は省略されるか、または簡素化される。
【０１１４】
本発明は、説明された例示的な実装形態を主として例とすることを意図する。本発明者らは、これらの例示的な実装形態が添付の特許請求の範囲を限定することを意図しない。むしろ、本発明者らは、特許請求される発明を、他の現在のまたは将来の技術と共に、他の様式で実施および実装することも可能であることを企図した。
【０１１５】
さらに、「例示的」という用語は、本明細書で、例、事例、または例示として機能することを意味するために使用される。本明細書で「例示的」として説明された任意の態様または設計は、他の態様もしくは設計と比べて好ましいまたは有利であると解釈されるとは限らない。むしろ、例示的という用語の使用は、概念および技法を具体的な形で提示することが意図される。例えば、「技法」という用語は、本明細書で説明された文脈によって示されるように、１つまたは複数のデバイス、装置、システム、方法、製品、および／もしくはコンピュータ可読命令を指す場合がある。
【０１１６】
本明細書で使用される場合、「または（ｏｒ）」という用語は、包括的な「または」ではなく、排他的な「または」を意味することが意図される。すなわち、別段の規定がない限り、または文脈から明らかでない限り、「ＸはＡまたはＢを用いる」は、自然な包括的な置換のうちのいずれかを意味することが意図される。すなわち、ＸがＡを用いる場合、ＸがＢを用いる場合、またはＸがＡとＢの両方を用いる場合、前述の事例のうちのいずれかの下で「ＸはＡまたはＢを用いる」は満たされる。加えて、本明細書および添付の請求項で使用される場合、「ａ」および「ａｎ」という冠詞は、別段の規定がない限り、または文脈から単数形に関することが明らかでない限り、概して、「１つまたは複数の」を意味すると解釈されるべきである。
【０１１７】
本明細書で議論された例示的な方法は、ハードウェア、ソフトウェア、ファームウェア、またはそれらの任意の組合せを用いて実施可能な一連の動作を表す論理的なフローグラフ内のブロックの収集物として例示される。ソフトウェア／ファームウェアの関連で、これらのブロックは、１つまたは複数のプロセッサによって実行されたとき、列挙された動作を実行する、１つまたは複数のプロセッサ可読記憶媒体上に記憶された命令を表す。例示的な方法の動作は、事実上、（限定ではなく、例として）：Ｃ／Ｃ＋＋、Ｆｏｒｔｒａｎ、ＣＯＢＯＬ、ＰＡＳＣＡＬ、アセンブリ言語、マークアップ言語（例えば、ＨＴＭＬ、ＳＧＭＬ、ＸＭＬ、ＶｏＸＭＬ）などを含めて、任意のプログラミング言語またはプログラミング環境で、ならびに共通オブジェクトリクエストブローカアーキテクチャ（Ｃｏｍｍｏｎ  Ｏｂｊｅｃｔ  Ｒｅｑｕｅｓｔ  Ｂｒｏｋｅｒ  Ａｒｃｈｉｔｅｃｔｕｒｅ）（ＣＯＲＢＡ）、（Ｊ２ＭＥ、Ｊａｖｅ  Ｂｅａｎｓなどを含む）Ｊａｖａ（商標）、バイナリランタイム環境（Ｂｉｎａｒｙ  Ｒｕｍｔｉｍｅ  Ｅｎｖｉｒｏｎｍｅｎｔ）（ＢＲＥＷ）など、オブジェクト指向環境で表示可能である。
【０１１８】
これらの方法が説明される順序は限定として解釈されることが意図されず、任意の数の説明された方法ブロックを何らかの順序で組み合わせて、これらの方法または代替の方法を実施することが可能であることに留意されたい。加えて、本明細書で説明された主題の趣旨および範囲から逸脱せずに、個々のブロックをこれらの方法から削除することが可能である。
【０１１９】
本開示および続く請求項では、「結合された」および「接続された」という用語は、様々な要素がどのように相互作用するかを説明するために使用されている場合がある。様々な要素のそのような説明された相互作用は直接的または間接的のいずれであってもよい。
【図１】
2015515171.tif 000003
【図２】
2015515171.tif 000004
【図３】
2015515171.tif 000005
【図４】
2015515171.tif 000006
【図５】
2015515171.tif 000007
【図６】
2015515171.tif 000008
【図７】
2015515171.tif 000009
【図８】
2015515171.tif 000010
【図９】
2015515171.tif 000011
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
複数の波長グループの複数の入力信号を受け入れ、
第１の波長グループの複数の前記入力信号を第１の入力信号バンドルとして提供し、
第２の波長グループの複数の前記入力信号を第２の入力信号バンドルとして提供する
ように構成されたライン入力デバイスと、
前記ライン入力デバイスから前記第１の入力信号バンドルと前記第２の入力信号バンドルとを受け入れ、
少なくともいくつかの第１の入力信号を、第１の分配された信号グループに分配し、
少なくともいくつかの第２の入力信号を、第２の分配された信号グループに分配し、
前記第１及び第２の分配された信号グループを提供する
ように構成された、前記ライン入力デバイスに結合された分配デバイスと、
前記第１の分配された信号グループのうちの少なくともいくつか、前記第２の分配された信号グループのうちの少なくともいくつか、およびオプションで１つまたは複数の追加信号を受け入れ、
前記分配された第１の信号グループのうちの少なくともいくつかとオプションで１つまたは複数の追加信号とを組み合わせて、第１の出力信号バンドルにし、
前記第１の出力信号バンドルを提供する
ように構成された、前記分配デバイスに結合された組合せデバイスと、
前記組合せデバイスから前記第１の出力信号バンドルを受け入れ、
前記第２の波長グループの第２の出力信号バンドルを受け入れ、
前記第１の出力信号バンドルの信号、および前記第２の出力信号バンドルの信号を含む、複数の出力信号を提供する
ように構成された、前記組合せデバイスに結合されたライン出力デバイスと、
前記分配デバイスから前記第１の波長グループの１つまたは複数の第１の分配された信号グループを受け入れ、
前記分配デバイスから前記第２の波長グループの１つまたは複数の第２の分配された信号グループを受け入れ、
前記第１の波長グループおよび前記第２の波長グループを含めて、複数の波長グループから信号を受信することが可能な受信機において１つまたは複数のドロップ信号を受信し、
少なくとも１つの追加信号を前記組合せデバイスに提供する
ように構成された、前記分配デバイスおよび前記組合せデバイスに結合された信号アドドロップデバイスと
を備える装置。
【請求項２】
前記分配デバイスが、
前記第１の入力信号バンドルを受け入れるための入力ポートと、
前記第１の分配された信号グループを提供するための複数の出力ポートと
を含む第１の結合要素を備える、請求項１に記載の装置。
【請求項３】
前記第１の結合要素が波長選択切替え要素を含む、請求項２に記載の装置。
【請求項４】
前記分配デバイスが、
前記第２の入力信号バンドルを受け入れるための入力ポートと、
前記第２の波長帯の第２の分配された信号グループを提供するための複数の出力ポートと
を含む追加の第１の結合要素をさらに備える、請求項２に記載の装置。
【請求項５】
前記組合せデバイスが、
前記第１の分配された信号グループのうちの前記少なくともいくつか、およびオプションで前記１つまたは複数の追加信号を受け入れるための複数の入力ポートと、
前記第１の出力信号バンドルを提供するための出力ポートと
を含む第２の結合要素を備える、請求項１に記載の装置。
【請求項６】
前記第２の結合要素が波長選択切替え要素を含む、請求項５に記載の装置。
【請求項７】
前記組合せデバイスが、
前記第２の波長帯の前記複数の前記入力信号の少なくとも一部、およびオプションで前記第２の波長帯の１つまたは複数の追加信号を受け入れるための複数の入力ポートと、
追加の第２の結合要素によって受け入れられた前記信号のうちの少なくともいくつかを含む第２の出力信号バンドルを提供するための出力ポートと
を含む前記追加の第２の結合要素をさらに含む、請求項５に記載の装置。
【請求項８】
前記信号アドドロップデバイスが、
前記第１の波長グループの１つまたは複数の第１の分配された信号グループを受け入れ、
１つまたは複数のドロップ信号グループを提供する
ように構成された、前記分配デバイスに結合された第３の結合要素と、
前記第１の波長帯の前記少なくとも１つの追加信号を提供し、
１つまたは複数のアド信号グループを受け入れる
ように構成された、前記組合せデバイスに結合された第４の結合要素と、
１つまたは複数の受信機のセットであって、各々が前記第３の結合要素から前記１つまたは複数のドロップ信号グループのうちの１つの少なくとも一部を受け入れるように構成された、１つまたは複数の受信機のセットと、
１つまたは複数の送信機のセットであって、各々が前記第４の結合要素に前記１つまたは複数のアド信号グループの少なくとも一部を提供するように構成された、１つまたは複数の送信機のセットと
を備える、請求項１に記載の装置。
【請求項９】
前記第３の結合要素が、
前記第２の波長帯の１つまたは複数の第２の分配された信号グループを受け入れる
ようにさらに構成された、請求項８に記載の装置。
【請求項１０】
前記第４の結合要素が、
前記第２の波長帯の少なくとも１つの追加信号を提供する
ようにさらに構成された、請求項８に記載の装置。
【請求項１１】
前記第３の結合要素および前記第４の結合要素のうちの少なくとも１つが波長選択切替え要素を含む、請求項８に記載の装置。
【請求項１２】
前記信号アドドロップデバイスが、
前記第３の結合要素と１つまたは複数の受信機の前記セットとの間に結合されたスプリッタをさらに備え、前記スプリッタが、
前記第３の結合要素からドロップ信号グループを受け入れ、
前記ドロップ信号グループを１つまたは複数の受信機の前記セットに分配する
ように構成された、
請求項８に記載の装置。
【請求項１３】
前記信号アドドロップデバイスが、
前記第３の結合要素と前記スプリッタとの間に結合された帯域コンバイナであって、
前記第３の結合要素からドロップ信号グループを受け入れ、
前記第２の波長帯の追加の信号ドロップグループを受け入れ、
組み合わされた信号ドロップグループを前記スプリッタに提供する
ように構成された、帯域コンバイナ
をさらに備える、請求項１２に記載の装置。
【請求項１４】
前記信号アドドロップデバイスが、
前記第４の結合要素と１つまたは複数の送信機の前記セットとの間に結合されたコンバイナであって、
１つまたは複数の送信機の前記セットから信号を受け入れ、
アド信号グループを前記第４の結合要素に提供する
ように構成された、コンバイナ
をさらに備える、請求項８に記載の装置。
【請求項１５】
前記信号アドドロップデバイスが、
前記第４の結合要素と前記コンバイナとの間に結合された帯域スプリッタであって、
前記コンバイナからアド信号グループを受け入れ、
前記第１の波長帯のアド信号グループを前記第４の結合要素に提供し、
前記第２の波長帯の追加のアド信号グループを提供する
ように構成された、帯域スプリッタを
さらに備える、請求項１４に記載の装置。
【請求項１６】
前記信号アドドロップデバイスが、
前記第３の結合要素から前記１つまたは複数のドロップ信号グループを受け入れる
ように構成された複数の入力ポートと、
前記１つまたは複数のドロップ信号グループの少なくとも一部を１つまたは複数の受信機の前記セットに選択的に提供する
ように構成された複数の出力ポートと
を含む切替え要素
をさらに備える、請求項８に記載の装置。
【請求項１７】
前記切替え要素が、
前記第２の波長帯の１つまたは複数の追加のドロップ信号グループを受け入れ、
前記１つまたは複数の追加のドロップ信号グループの少なくとも一部を１つまたは複数の受信機の前記セットに選択的に提供する
ようにさらに構成された、請求項１６に記載の装置。
【請求項１８】
前記切替え要素が光クロスコネクトを備える、請求項１６に記載の装置。
【請求項１９】
前記信号アドドロップデバイスが、
１つまたは複数の送信機の前記セットから信号を受け入れる
ように構成された複数の入力ポートと、
１つまたは複数の送信機の前記セットから前記信号の少なくとも一部を前記第４の結合要素に選択的に提供する
ように構成された複数の出力ポートと
を含む切替え要素
をさらに備える、請求項８に記載の装置。
【請求項２０】
前記切替え要素が、
１つまたは複数の送信機の前記セットから前記第２の波長帯の１つまたは複数の信号を受け入れ、
前記第２の波長帯の１つまたは複数の追加のアド信号グループを選択的に提供する
ようにさらに構成された、請求項１９に記載の装置。
【請求項２１】
前記切替え要素が光クロスコネクトを備える、請求項１９に記載の装置。
【請求項２２】
マルチバンド再構成可能光アドドロップ多重化の方法であって、
波長スペクトルの連続及び非連続ブロックの組み合わせから、複数の波長グループに属する複数の入力信号を受け入れることと、
前記受け入れられた複数の入力信号を信号セットに分離することであって、各々のセットが前記複数の波長グループのうちの１つに属する、分離することと、
１つまたは複数の信号グループを選択的にドロップすることであって、各信号グループが複数の前記波長グループに属する信号を含めるように構成可能である、選択的にドロップすることと
を含む方法。
【請求項２３】
前記複数の波長グループがＣ帯域の複数の周波数とＬ帯域の複数の周波数とを含む、請求項２２に記載の方法。
【請求項２４】
前記波長グループのうちの１つまたは複数の１つまたは複数の追加信号を選択的に追加することと、
前記追加された１つまたは複数の追加信号を出力信号として提供することと
をさらに含む、請求項２２に記載の方法。
【請求項２５】
前記分離することが１つまたは複数の帯域フィルタによって実行される、請求項２２に記載の方法。
【請求項２６】
前記受け入れることと、前記分離することと、前記選択的にドロップすることとが再構成可能光アドドロップマルチプレクサ（ＲＯＡＤＭ）によって実行され、前記分離することが、２つ以上の帯域フィルタの統合アレイによって実行される、請求項２５に記載の方法。
【請求項２７】
前記分離することが１つまたは複数のインターリーバフィルタによって実行される、請求項２２に記載の方法。
【請求項２８】
前記受け入れることと、前記分離することと、前記選択的にドロップすることとが再構成可能光アドドロップマルチプレクサ（ＲＯＡＤＭ）によって実行され、前記分離することが、２つ以上のインターリーバフィルタの統合アレイによって実行される、請求項２７に記載の方法。
【国際調査報告】
2015515171.tif 000012
2015515171.tif 000013
2015515171.tif 000014